(57)【要約】【課題】  互いに対応するＢＢＵとＲＲＨの間の通信を可能とする伝送装置、光終端装置、伝送システム、及び伝送方法を提供する。【解決手段】  伝送装置は、複数のＲＲＨにそれぞれ接続された複数の光終端装置とともにＰＯＮに接続される装置において、複数のＲＲＨの１つを通信先とするＢＢＵから通信先のＲＲＨに関する通信先情報を取得する取得部と、複数の光終端装置から所定波長の信号を受信する受信部と、波長を示す波長情報と、通信先情報とを含む第１信号を複数の光終端装置に送信する送信部と、受信部が、通信先のＲＲＨに接続された光終端装置から、第１信号に応じた所定波長の第２信号を受信したとき、ＢＢＵ及び通信先のＲＲＨの間の通信を中継する中継経路を光終端装置との間に設定する設定部とを有する。【選択図】図７
2020028033.tif 000002
【特許請求の範囲】
【請求項１】
複数のＲＲＨにそれぞれ接続された複数の光終端装置とともにＰＯＮに接続される伝送装置において、
前記複数のＲＲＨの１つを通信先とするＢＢＵから前記通信先のＲＲＨに関する通信先情報を取得する取得部と、
前記複数の光終端装置から所定の波長の信号を受信する受信部と、
前記所定の波長を示す波長情報と、前記通信先情報とを含む第１信号を前記複数の光終端装置に送信する送信部と、
前記受信部が、前記複数の光終端装置のうち、前記通信先のＲＲＨに接続された光終端装置から、前記第１信号に応じた前記所定の波長の第２信号を受信したとき、前記ＢＢＵ及び前記通信先のＲＲＨの間の通信を中継する中継経路を前記光終端装置との間に設定する設定部とを有することを特徴とする伝送装置。
【請求項２】
前記通信先情報は、前記複数の光終端装置のうち、前記通信先のＲＲＨを識別する識別情報であることを特徴とする請求項１に記載の伝送装置。
【請求項３】
前記通信先情報は、前記複数の光終端装置のうち、前記通信先のＲＲＨの位置を示す位置情報であることを特徴とする請求項１に記載の伝送装置。
【請求項４】
ＢＢＵに接続された光端局装置とともにＰＯＮに接続され、さらにＲＲＨに接続される光終端装置において、
前記光端局装置から、前記光端局装置が受信する信号の所定の波長を示す波長情報と、前記ＢＢＵの通信先のＲＲＨに関する通信先情報とを含む第１信号を受信する信号受信部と、
前記光端局装置に信号を送信する信号送信部と、
前記通信先情報に基づき前記ＲＲＨが前記通信先のＲＲＨであるか否かを判定して、前記ＲＲＨが前記通信先のＲＲＨである場合、前記波長情報が示す前記所定の波長の第２信号を前記信号送信部に送信させる制御部とを有し、
前記制御部は、前記信号受信部が前記光端局装置から前記第２信号に応じた第３信号を受信したとき、前記ＢＢＵ及び前記ＲＲＨの間の通信を中継する中継経路を前記光端局装置との間に設定することを特徴とする光終端装置。
【請求項５】
前記制御部は、前記ＲＲＨから、前記ＲＲＨを識別する識別情報を取得し、前記識別情報と前記通信先情報に基づき前記ＲＲＨが前記通信先のＲＲＨであるか否かを判定することを特徴とする請求項４に記載の光終端装置。
【請求項６】
前記制御部は、前記ＲＲＨから、前記ＲＲＨの位置を示す位置情報を取得し、前記位置情報と前記通信先情報に基づき前記ＲＲＨが前記通信先のＲＲＨであるか否かを判定することを特徴とする請求項４に記載の光終端装置。
【請求項７】
前記光終端装置の位置を検出する検出部を有し、
前記制御部は、前記光終端装置の位置と前記通信先情報に基づき前記ＲＲＨが前記通信先のＲＲＨであるか否かを判定することを特徴とする請求項４に記載の光終端装置。
【請求項８】
ＰＯＮに接続される光端局装置及び複数の光終端装置を有し、
前記複数の光終端装置は複数のＲＲＨにそれぞれ接続され、
前記光端局装置は、
前記複数のＲＲＨの１つを通信先とするＢＢＵから前記通信先のＲＲＨに関する通信先情報を取得する取得部と、
前記複数の光終端装置から所定の波長の信号を受信する受信部と、
前記所定の波長を示す波長情報と、前記通信先情報とを含む第１信号を前記複数の光終端装置に送信する送信部と、
前記受信部が、前記複数の光終端装置のうち、前記通信先のＲＲＨに接続された光終端装置から、前記第１信号に応じた前記所定の波長の第２信号を受信したとき、前記ＢＢＵ及び前記通信先のＲＲＨの間の通信を中継する中継経路を前記光終端装置との間に設定する設定部とを有し、
前記複数の光終端装置の各々は、前記通信先情報に基づき、前記複数のＲＲＨのうち、接続先のＲＲＨが前記通信先のＲＲＨであるか否かを判定し、前記接続先のＲＲＨが前記通信先のＲＲＨである場合、前記波長情報が示す前記所定の波長の前記第２信号を前記光端局装置に送信することを特徴とする伝送システム。
【請求項９】
ＰＯＮに接続される光端局装置及び複数の光終端装置の間で行われる伝送方法において、
前記複数の光終端装置は複数のＲＲＨにそれぞれ接続され、
前記光端局装置は、
前記複数のＲＲＨの１つを通信先とするＢＢＵから前記通信先のＲＲＨに関する通信先情報を取得し、
前記複数の光終端装置から受信する信号の波長を示す波長情報と、前記通信先情報とを含む第１信号を前記複数の光終端装置に送信し、
前記複数の光終端装置の各々は、
前記通信先情報に基づき、前記複数のＲＲＨのうち、接続先のＲＲＨが前記通信先のＲＲＨであるか否かを判定し、
前記接続先のＲＲＨが前記通信先のＲＲＨである場合、前記波長情報が示す波長の第２信号を前記光端局装置に送信し、
前記光端局装置は、
前記複数の光終端装置のうち、前記通信先のＲＲＨに接続された光終端装置から、前記第１信号に応じた前記第２信号を受信したとき、前記ＢＢＵ及び前記通信先のＲＲＨの間の通信を中継する中継経路を前記光終端装置との間に設定することを特徴とする伝送方法。
【発明の詳細な説明】
【技術分野】
【０００１】
本件は、伝送装置、光終端装置、伝送システム、及び伝送方法に関する。
【背景技術】
【０００２】
スマートフォンなどの移動体端末の普及に伴って、移動体端末を無線通信ネットワークに接続する基地局及び収容局の間のトラフィックが増加している。トラフィックの増加に応じて、収容局にはＢＢＵ（Base Band Unit）を配置し、各基地局にはＲＲＨ（Remote Radio Head）を配置し、そのモバイルフロントホールのトラフィックを伝送容量の大きいＰＯＮ（Passive Optical Network）に収容することが検討されている（例えば特許文献１及び２参照）。ＢＢＵとＲＲＨは、ＰＯＮ内のＯＬＴ（Optical Line Termination）及びＯＮＵ（Optical Network Unit）を介して互いに接続される。
【０００３】
モバイルフロントホールに適用されるＰＯＮとしては、例えばＷＤＭ（Wavelength Division Multiplexing）技術を用いた「ＮＧ（Next Generation）−ＰＯＮ２」が挙げられる。なお、「ＮＧ−ＰＯＮ２」はＩＴＵ−Ｔ（International Telecommunication Union Telecommunication Standardization Sector）勧告Ｇ．９８９シリーズに規定されている。
【先行技術文献】
【特許文献】
【０００４】
【特許文献１】特開２０１４−１６５６１４号公報
【特許文献２】特開２０１４−１１０５７４号公報
【発明の概要】
【発明が解決しようとする課題】
【０００５】
ＲＲＨは通常の基地局よりカバーエリアの狭いスモールセル基地局に配置され、多数のスモールセル基地局が通常のマクロセル内に設けられることによりモバイルフロントホールの伝送容量は増加する。しかし、全てのスモールセル基地局が動作すると消費電力が増加するおそれがあるため、トラフィックの少ないスモールセル基地局は低消費電力のスリープ状態になるように制御される。
【０００６】
一方、トラフィックの多いスモールセル基地局には大きな帯域が要求されるため、そのスモールセル基地局のＲＲＨと接続されたＯＮＵには、「ＮＧ−ＰＯＮ２」の機能として規定されたＰｔＰ（Point-To-Point）  ＷＤＭのチャネルがＯＬＴから起動時に割り当てられる。これにより、ＯＬＴとＯＮＵは１対１で通信するため、ＲＲＨはチャネルの帯域を占有してＢＢＵと通信することができる。
【０００７】
しかし、ＰＯＮ内に複数の未起動のＯＮＵが存在する場合、ＯＬＴは最も早く登録要求を受けたＯＮＵだけを起動するため、ＢＢＵの通信先のＲＲＨに接続されたＯＮＵ以外のＯＮＵを起動することがある。この場合、通信先のＲＲＨに接続されたＯＮＵは未起動のままとなり、そのＯＮＵとＯＬＴの間にリンクが確立しない。したがって、ＢＢＵはＲＲＨと通信することができないため、通信サービスの提供に支障が生ずるおそれがある。
【０００８】
そこで本件は、互いに対応するＢＢＵとＲＲＨの間の通信を可能とする伝送装置、光終端装置、伝送システム、及び伝送方法を提供することを目的とする。
【課題を解決するための手段】
【０００９】
１つの態様では、伝送装置は、複数のＲＲＨにそれぞれ接続された複数の光終端装置とともにＰＯＮに接続される伝送装置において、前記複数のＲＲＨの１つを通信先とするＢＢＵから前記通信先のＲＲＨに関する通信先情報を取得する取得部と、前記複数の光終端装置から所定の波長の信号を受信する受信部と、前記所定の波長を示す波長情報と、前記通信先情報とを含む第１信号を前記複数の光終端装置に送信する送信部と、前記受信部が、前記複数の光終端装置のうち、前記通信先のＲＲＨに接続された光終端装置から、前記第１信号に応じた前記所定の波長の第２信号を受信したとき、前記ＢＢＵ及び前記通信先のＲＲＨの間の通信を中継する中継経路を前記光終端装置との間に設定する設定部とを有する。
【００１０】
１つの態様では、光終端装置は、ＢＢＵに接続された光端局装置とともにＰＯＮに接続され、さらにＲＲＨに接続される光終端装置において、前記光端局装置から、前記光端局装置が受信する信号の所定の波長を示す波長情報と、前記ＢＢＵの通信先のＲＲＨに関する通信先情報とを含む第１信号を受信する信号受信部と、前記光端局装置に信号を送信する信号送信部と、前記通信先情報に基づき前記ＲＲＨが前記通信先のＲＲＨであるか否かを判定して、前記ＲＲＨが前記通信先のＲＲＨである場合、前記波長情報が示す前記所定の波長の第２信号を前記信号送信部に送信させる制御部とを有し、前記制御部は、前記信号受信部が前記光端局装置から前記第２信号に応じた第３信号を受信したとき、前記ＢＢＵ及び前記ＲＲＨの間の通信を中継する中継経路を前記光端局装置との間に設定する。
【００１１】
１つの態様では、伝送システムは、ＰＯＮに接続される光端局装置及び複数の光終端装置を有し、前記複数の光終端装置は複数のＲＲＨにそれぞれ接続され、前記光端局装置は、  前記複数のＲＲＨの１つを通信先とするＢＢＵから前記通信先のＲＲＨに関する通信先情報を取得する取得部と、前記複数の光終端装置から所定の波長の信号を受信する受信部と、前記所定の波長を示す波長情報と、前記通信先情報とを含む第１信号を前記複数の光終端装置に送信する送信部と、前記受信部が、前記複数の光終端装置のうち、前記通信先のＲＲＨに接続された光終端装置から、前記第１信号に応じた前記所定の波長の第２信号を受信したとき、前記ＢＢＵ及び前記通信先のＲＲＨの間の通信を中継する中継経路を前記光終端装置との間に設定する設定部とを有し、前記複数の光終端装置の各々は、前記通信先情報に基づき、前記複数のＲＲＨのうち、接続先のＲＲＨが前記通信先のＲＲＨであるか否かを判定し、前記接続先のＲＲＨが前記通信先のＲＲＨである場合、前記波長情報が示す前記所定の波長の前記第２信号を前記光端局装置に送信する。
【００１２】
１つの態様では、伝送方法は、ＰＯＮに接続される光端局装置及び複数の光終端装置の間で行われる伝送方法において、前記複数の光終端装置は複数のＲＲＨにそれぞれ接続され、前記光端局装置は、前記複数のＲＲＨの１つを通信先とするＢＢＵから前記通信先のＲＲＨに関する通信先情報を取得し、前記複数の光終端装置から受信する信号の波長を示す波長情報と、前記通信先情報とを含む第１信号を前記複数の光終端装置に送信し、前記複数の光終端装置の各々は、前記通信先情報に基づき、前記複数のＲＲＨのうち、接続先のＲＲＨが前記通信先のＲＲＨであるか否かを判定し、前記接続先のＲＲＨが前記通信先のＲＲＨである場合、前記波長情報が示す波長の前記第２信号を前記光端局装置に送信し、前記光端局装置は、前記複数の光終端装置のうち、前記通信先のＲＲＨに接続された光終端装置から、前記第１信号に応じた前記所定の波長の第２信号を受信したとき、前記ＢＢＵ及び前記通信先のＲＲＨの間の通信を中継する中継経路を前記光終端装置との間に設定する方法である。
【発明の効果】
【００１３】
１つの側面として、互いに対応するＢＢＵとＲＲＨの間の通信を可能とする。
【図面の簡単な説明】
【００１４】
【図１】伝送システムの一例を示す構成図である。
【図２】比較例における伝送ユニットとＯＮＵの間のリンクを確立する処理（正常時）を示すシーケンス図である。
【図３】比較例における伝送ユニットとＯＮＵの間のリンクを確立する処理（異常時）を示すシーケンス図である。
【図４】正常時及び異常時のＢＢＵとスモールセルの通信の組み合わせの例を示す図である
【図５】ＢＢＵ及び伝送ユニットの一例を示す構成図である。
【図６】ＯＮＵ及びＲＲＨの一例を示す構成図である。
【図７】伝送ユニットとＯＮＵの間のリンクを確立する処理の一例を示すシーケンス図である（その１）。
【図８】伝送ユニットとＯＮＵの間のリンクを確立する処理の一例を示すシーケンス図である（その２）。
【図９】波長情報及びＲＲＨ−ＩＤを含む「Channel_Profile」メッセージの一例を示す図である。
【図１０】ＢＢＵの動作の一例を示すフローチャートである。
【図１１】伝送ユニットの動作の一例を示すフローチャートである。
【図１２】ＲＲＨの動作の一例を示すフローチャートである。
【図１３】ＯＮＵの動作の一例を示すフローチャートである。
【図１４】伝送ユニットとＯＮＵの間のリンクを確立する処理の他の例を示すシーケンス図である。
【図１５】ＢＢＵの動作の他の例を示すフローチャートである。
【図１６】伝送ユニットの動作の他の例を示すフローチャートである。
【図１７】ＲＲＨの動作の他の例を示すフローチャートである。
【図１８】ＯＮＵの動作の他の例を示すフローチャートである。
【図１９】伝送ユニットとＯＮＵの間のリンクを確立する処理の他の例を示すシーケンス図である。
【図２０】ＯＮＵの動作の他の例を示すフローチャートである。
【図２１】伝送ユニットとＯＮＵの間のリンクを確立する処理の他の例を示すシーケンス図である。
【図２２】位置情報を含む「Serial_Number_ONU」メッセージの一例を示す図である。
【図２３】伝送ユニットの動作の他の例を示すフローチャートである。
【図２４】ＯＮＵの動作の他の例を示すフローチャートである。
【図２５】伝送ユニットとＯＮＵの間のリンクを確立する処理の他の例を示すシーケンス図である。
【図２６】ＯＮＵの動作の他の例を示すフローチャートである。
【発明を実施するための形態】
【００１５】
図１は、伝送システムの一例を示す構成図である。伝送システムには、複数のＢＢＵ（＃１〜＃ｎ（ｎ：正の整数））３、ＰＯＮ９、及び複数のＲＲＨ（＃１〜＃ｍ（ｍ：正の整数））４が含まれる。ＢＢＵ３と各ＲＲＨ４はＰＯＮ９を介して接続されており、ＰＯＮ９は無線通信ネットワークのモバイルフロントホールに含まれる。
【００１６】
ＰＯＮ９としては、一例としてＩＴＵ−Ｔ勧告Ｇ．９８９シリーズに規定された「ＮＧ−ＰＯＮ２」が挙げられるが、これに限定されない。ＰＯＮ９にはＯＬＴ１及び複数のＯＮＵ（＃１〜＃ｍ）２が接続されている。ＯＬＴ１は、制御ユニット１ａ、複数の伝送ユニット（＃１〜＃ｎ）１ｂ、及びアレイ導波路回折格子（AWG: Arrayed Waveguide Grating）１ｃを有する。なお、伝送ユニット１ｂは伝送装置及び光端局装置の一例であり、ＯＮＵ２は光終端装置の一例である。
【００１７】
各伝送ユニット１ｂはＡＷＧ１ｃに光ファイバなどを介して接続されている。ＡＷＧ１ｃは、光ファイバなどの伝送路９０を介して各ＯＮＵ２に接続されている。伝送路９０は光スプリッタ（光カプラ）５により分岐しており、その分岐先にＯＮＵ２が接続されている。ＯＮＵ（＃１〜＃ｍ）２はＲＲＨ（＃１〜＃ｍ）４にそれぞれ接続され、伝送ユニット（＃１〜＃ｎ）１ｂはＢＢＵ（＃１〜＃ｎ）３とそれぞれ接続されている。このため、ＢＢＵ３は、ＰＯＮ９内に設けられる中継経路を介してＲＲＨ４と通信することができる。
【００１８】
各伝送ユニット１ｂは、ＯＮＵ（＃１〜＃ｍ）２から選択された少なくとも１台のＯＮＵ２と光信号を送受信する。なお、伝送ユニット１ｂからＯＮＵ２に向かう伝送方向を「下り方向」と表記し、ＯＮＵ２から伝送ユニット１ｂに向かう伝送方向を「上り方向」と表記する。また、下り方向の光信号を「下り信号」と表記し、上り方向の光信号を「上り信号」と表記する。
【００１９】
伝送ユニット（＃１〜＃ｎ）１ｂは、個別の波長λd1〜λdnの下り信号をＯＮＵ２に送信し、個別の波長λu1〜λunの上り信号をＯＮＵ２から受信する。各ＯＮＵ２は、伝送ユニット１ｂからの下り信号の入力中、受信器の前段の波長フィルタが透過する透過波長、つまり受信可能な波長を変化させること（以下、「スイープ」と表記）により下り信号の波長λd1〜λdn（以下、「下り波長」と表記）を検出する。
【００２０】
また、各ＯＮＵ２は、下り信号のメッセージに指定された波長λu1〜λunを上り信号の波長（以下、「上り波長」と表記）として送信器に設定する。ＡＷＧ１ｃは、光信号の波長と出力ポートの関係が固定されている。例えばＡＷＧ１ｃは、各ＯＮＵ２から入力された上り方向の光信号のうち、波長λu1の光信号を伝送ユニット（＃１）１ｂに出力し、波長λu2の光信号を伝送ユニット（＃２）１ｂに出力し、波長λunの光信号は伝送ユニット（＃ｎ）１ｂに出力する。また、制御ユニット１ａは、下り波長λd1〜λdn及びの上り波長λu1〜λunを各伝送ユニット１ｂに設定する。
【００２１】
伝送ユニット１ｂは、１台のＯＮＵ２に独占的な帯域を与えるＰｔＰ  ＷＤＭと、複数台のＯＮＵ２に帯域を共有させるＴＷＤＭ（Time and Wavelength Division Multiplexing）の何れかの動作モードで伝送処理を行う。動作モードは、例えばＲＲＨ４ごとのトラフィック量に応じて決定されて制御ユニット１ａから各伝送ユニット１ｂに設定される。
【００２２】
本例では、ＲＲＨ（＃１）４のトラフィック量が多く、ＲＲＨ（＃２）４及びＲＲＨ（＃３）４のトラフィック量が少ないと仮定する。ＲＲＨ（＃１）４に接続されたＯＮＵ（＃１）２は、ＰｔＰ  ＷＤＭの動作モードの伝送ユニット（＃１）１ｂとリンクを確立する。また、ＲＲＨ（＃２）４及びＲＲＨ（＃３）４にそれぞれ接続されたＯＮＵ（＃２）２及びＯＮＵ（＃３）４は、ＴＷＤＭの動作モードの伝送ユニット（＃２）１ｂとリンクを確立する。
【００２３】
符号９１は、各動作モードの上り信号の例を示すタイムチャートである。「＃１」〜「＃３」はＯＮＵ（＃１〜＃３）２の上り信号をそれぞれ表す。ＴＷＤＭのＯＮＵ（＃２）２及びＯＮＵ（＃３）４は波長λu2の上り信号を時分割で伝送ユニット（＃２）１ｂに送信する。ここで、ＯＮＵ（＃２）２及びＯＮＵ（＃３）４の各上り信号「＃２」，「＃３」は、互いに衝突しないように伝送ユニット（＃２）１ｂから別々のタイムスロットが割り当てられている。
【００２４】
また、ＰｔＰ  ＷＤＭのＯＮＵ（＃１）２は波長λu1の上り信号「＃１」を伝送ユニット（＃１）１ｂに送信する。ＯＮＵ（＃１）２は波長λu1の帯域を占有するため、他のＯＮＵ（＃２）２及びＯＮＵ（＃３）２より多くのトラフィックを伝送することができる。
【００２５】
しかし、ＰｔＰ  ＷＤＭの伝送ユニット（＃１）１ｂは、複数の未起動のＯＮＵ２が存在する場合、最も早く登録要求を受けたＯＮＵ２だけを起動する。このため、伝送ユニット（＃１）１ｂは、例えばＯＮＵ（＃１）２とＯＮＵ（＃ｍ）２が未起動である場合、ＯＮＵ（＃１）２より先にＯＮＵ（＃ｍ）２から登録要求を受けると、ＯＮＵ（＃ｍ）２を起動してＯＮＵ（＃１）２を未起動のままとする。
【００２６】
この場合、伝送ユニット（＃１）１ｂとＯＮＵ（＃１）２の間にリンクが確立しない。したがって、ＢＢＵ（＃１）３は通信先のＲＲＨ（＃１）４と通信することができないため、通信サービスの提供に支障が生ずるおそれがある。なお、通信先のＲＲＨ４は、例えば無線通信ネットワークの管理装置から各ＢＢＵ３に設定される。
【００２７】
以下にＯＮＵ２の起動シーケンスの例を挙げて説明する。以降の例において、ＢＢＵ（＃１）３の通信先はＲＲＨ（＃１）４であり、ＢＢＵ（＃ｎ）３の通信先はＲＲＨ（＃ｍ）４であると仮定する。
【００２８】
図２は、比較例における伝送ユニット１ｂとＯＮＵ２の間のリンクを確立する処理（正常時）を示すシーケンス図である。本例において、ＯＮＵ（＃１〜＃ｍ）２のうち、ＯＮＵ（＃１）２だけが未起動であると仮定する。起動シーケンスにおいて、伝送ユニット（＃１）１ｂとＯＮＵ（＃１）２の間には、主信号とは異なる制御信号として各種のメッセージが送受信される。なお、主信号は、伝送ユニット１ｂとＯＮＵ２の間にリンクが確立するまでは例えば固定のアイドルパタンとなる。
【００２９】
伝送ユニット（＃１）１ｂは、ＩＴＵ−Ｔ勧告Ｇ．９８９．３に規定された「Channel_Profile」メッセージ（ＭＳＧ）を周期的に送信する。「Channel_Profile」メッセージには下り波長λd1及び上り波長λu1が含まれる。
【００３０】
ＯＮＵ（＃１）２は波長フィルタの透過波長をスイープさせて下り波長λd1を検出して波長フィルタに設定し、受信した「Channel_Profile」メッセージに指定された上り波長λu1を送信器に設定する（Ｓ１）。ＯＮＵ（＃１）２は、「Channel_Profile」メッセージに応じて、ＩＴＵ−Ｔ勧告Ｇ．９８９．３に規定された「Serial_Number_ONU」メッセージを伝送ユニット（＃１）１ｂに送信する。「Serial_Number_ONU」メッセージは、ＯＮＵ２から伝送ユニット１ｂに対する登録要求の一例である。
【００３１】
伝送ユニット（＃１）１ｂは、「Serial_Number_ONU」メッセージに応じてＯＮＵ（＃１）２を起動リストに登録する（Ｓ２）。伝送ユニット（＃１）１ｂは、ＯＮＵ（＃１）２にＯＮＵ−ＩＤを割り当てるため、「Assign_ONU-ID」メッセージをＯＮＵ（＃１）２に送信する。ＯＮＵ−ＩＤは、運用中に用いられるＯＮＵ（＃１）２のＰＯＮ９内の識別子である。
【００３２】
ＯＮＵ（＃１）２は、「Assign_ONU-ID」メッセージに応じて伝送ユニット（＃１）１ｂとの通信に必要な設定（以下、「通信設定」と表記）を行う（Ｓ３）。このとき、「Assign_ONU-ID」メッセージに含まれるＯＮＵ−ＩＤなどが設定される。これにより、伝送ユニット（＃１）１ｂとＯＮＵ（＃１）２の間でリンクが確立される。
【００３３】
伝送ユニット（＃１）１ｂとＯＮＵ（＃１）２の間でリンクが確立すると、上り方向及び下り方向において通常の主信号の送受信が可能となるため、ＢＢＵ（＃１）３及び通信先のＲＲＨ（＃１）４の間の通信を中継する中継経路が設定される。これにより、ＢＢＵ（＃１）３は、伝送ユニット（＃１）１ｂとＯＮＵ（＃１）２を介して通信先のＲＲＨ（＃１）４と通信することができる。
【００３４】
しかし、複数の未起動のＯＮＵ（＃１，＃ｍ）２が存在する場合、ＢＢＵ（＃１）３は通信先のＲＲＨ（＃１）４と通信することができないことがある。
【００３５】
図３は、比較例における伝送ユニット１ｂとＯＮＵ２の間のリンクを確立する処理（異常時）を示すシーケンス図である。本例において、ＯＮＵ（＃１〜＃ｍ）２のうち、ＯＮＵ（＃１）２及びＯＮＵ（＃ｍ）２だけが未起動であると仮定する。また、ＯＮＵ（＃１）２は、ＯＮＵ（＃ｍ）２より遅い時刻Ｔｏｎに電源投入されるため、その時刻Ｔｏｎ後に伝送ユニット（＃１）１ｂから送信されたメッセージを受信すると仮定する。
【００３６】
ＯＮＵ（＃ｍ）２は、最初の「Channel_Profile」メッセージに応じ上り波長λu1を設定する（Ｓ１０）。また、ＯＮＵ（＃１）２は、時刻Ｔｏｎ後の「Channel_Profile」メッセージに応じ上り波長λu1を設定する（Ｓ１２）。
【００３７】
ＯＮＵ（＃ｍ）２は、最初の「Channel_Profile」メッセージに応じ、電源投入が行われていないＯＮＵ（＃ｍ）２より早く「Serial_Number_ONU」メッセージを送信する。このため、伝送ユニット（＃１）１ｂは、先に受信した「Serial_Number_ONU」メッセージに応じＯＮＵ（＃ｍ）２を登録する（Ｓ１１）。また、伝送ユニット（＃１）１ｂは、その後、電源投入されたＯＮＵ（＃１）２から受信した「Serial_Number_ONU」メッセージを廃棄するため、ＯＮＵ（＃１）２を登録しない。
【００３８】
したがって、伝送ユニット（＃１）１ｂは、ＩＴＵ−Ｔ勧告Ｇ．９８９．３に規定された「Assign_ONU-ID」メッセージをＯＮＵ（＃ｍ）２に送信する。「Assign_ONU-ID」メッセージは伝送ユニット（＃１）１ｂからＯＮＵ（＃ｍ）２への起動指示の一例である。ＯＮＵ（＃ｍ）２は、「Assign_ONU-ID」メッセージに応じて伝送ユニット（＃１）１ｂとの通信に必要な設定を行う（Ｓ１３）。これにより、伝送ユニット（＃１）１ｂとＯＮＵ（＃ｍ）２の間でリンクが確立される。
【００３９】
したがって、ＢＢＵ（＃１）３は、伝送ユニット（＃１）１ｂとＯＮＵ（＃ｍ）を介して、通信先ではないＲＲＨ（＃ｍ）と通信することはできても、通信先のＲＲＨ（＃１）４とはＰＯＮ９内の中継経路がないために通信することができない。なお、本例では、ＯＮＵ（＃１）２とＯＮＵ（＃ｍ）２の間の電源投入の時刻Ｔｏｎの差分により「Serial_Number_ONU」メッセージの受信タイミングに差分が生ずる場合を挙げるが、電源投入の時刻Ｔｏｎが実質的に同一でも光カプラ５とＯＮＵ（＃ｍ，＃１）２の間の伝送距離の差分により受信タイミングに差分が生ずる場合もあり得る。
【００４０】
このように、複数の未起動のＯＮＵ２が存在する場合、ＢＢＵ３は通信先のＲＲＨ４と通信することができないことがあるため、以下に述べるようにＢＢＵ３とＲＲＨ４の組み合わせが入れ替わることもあり得る。
【００４１】
図４は、正常時及び異常時のＢＢＵ３とスモールセルＳＣ＃１〜＃１６の通信の組み合わせの例を示す図である。図４において、図１と共通する構成には同一の符号を付し、その説明は省略する。
【００４２】
スモールセルＳＣ＃１〜＃１６は、ＯＮＵ２及びＲＲＨ４が設置されたスモールセル基地局のカバーエリアである。本例において、ＢＢＵ（＃１）３の通信先のＲＲＨ４はスモールセルＳＣ＃３に配置され、ＢＢＵ（＃４）３の通信先のＲＲＨ４はスモールセルＳＣ＃１３に配置されていると仮定する。
【００４３】
符号Ｇａは正常時の通信の組み合わせを示す。点線で示されるように、ＢＢＵ（＃１）３はスモールセルＳＣ＃３内のＲＲＨ４と通信し、ＢＢＵ（＃４）３はスモールセルＳＣ＃３内のＲＲＨ４と通信する。
【００４４】
符号Ｇｂは異常時の通信の組み合わせを示す。点線で示されるように、ＢＢＵ（＃１）３はスモールセルＳＣ＃１３内のＲＲＨ４と通信し、ＢＢＵ（＃４）３はスモールセルＳＣ＃１３内のＲＲＨ４と通信する。つまり、ＢＢＵ（＃１）３とＢＢＵ（＃４）３の間で通信先のＲＲＨ４が入れ替わっている。
【００４５】
このような入れ替わりは、例えば伝送ユニット（＃１）１ｂが、スモールセルＳＣ＃３内のＯＮＵ２より先にスモールセルＳＣ＃１３内のＯＮＵ２とリンクし、伝送ユニット（＃４）１ｂが、残ったスモールセルＳＣ＃３内のＯＮＵ２とリンクすることにより起こり得る。
【００４６】
このため、実施例において伝送ユニット（＃１）１ｂ及びＯＮＵ２は、ＢＢＵ３及びＲＲＨ４とそれぞれ連携することにより、ＢＢＵ３が通信先のＲＲＨ４と通信できるようにリンクを確立する。
【００４７】
図５は、ＢＢＵ３及び伝送ユニット１ｂの一例を示す構成図である。ＢＢＵ３は、制御部３０、メモリ３１、制御インターフェース（制御ＩＦ）部３２、光インターフェース（光ＩＦ）部３３、及びベースバンド処理部３４を有する。また、伝送ユニット１ｂは、伝送制御部１０、メモリ１１、制御インターフェース（制御ＩＦ）部１２、ＳＮＩ（application Server-Network Interface）部１３、主信号処理部１４、多重部（ＭＵＸ）１５、分離部（ＤＭＵＸ）１６、光モジュール１７、ＷＤＭカプラ１８、メッセージ（ＭＳＧ）処理部１９を有する。
【００４８】
ＢＢＵ３において、ベースバンド処理部３４は、不図示の無線通信ネットワークとの間で入出力されるベースバンド信号を処理する。ベースバンド処理部３４は、無線通信ネットワークからのベースバンド信号を光ＩＦ部３３に出力し、光ＩＦ部３３からのベースバンド信号を無線通信ネットワークに出力する。
【００４９】
光ＩＦ部３３は、ベースバンド処理部３４からのベースバンド信号を光信号に変換してＳＮＩ部１３に送信する。また、光ＩＦ部３３は、ＳＮＩ部１３からの光信号を電気的なベースバンド信号に変換してベースバンド処理部３４に送信する。
【００５０】
制御部３０は、ベースバンド処理部３４及び光ＩＦ部３３の伝送処理を制御する。また、制御部３０は制御ＩＦ部３２を介して伝送ユニット１ｂの制御ＩＦ部１２と通信する。
【００５１】
メモリ３１は制御部３０に接続されている。メモリ３１には、ＢＢＵ３の通信先に関する通信先情報の一例として、ＲＲＨ４を識別するＲＲＨ−ＩＤ（＃１〜＃ｍ）が記憶される。なお、ＲＲＨ−ＩＤは識別情報の一例である。ＲＲＨ−ＩＤは、例えば制御部３０により無線通信ネットワークの制御情報から取得されてメモリ３１に書き込まれる。制御部３０は、起動シーケンスにおいてメモリ３１からＲＲＨ−ＩＤを読み出して制御ＩＦ部３２から伝送ユニット１ｂに送信する。
【００５２】
なお、ベースバンド処理部３４及び制御ＩＦ部３２は、例えばＦＰＧＡ（Field Programmable Gate Array）やＡＳＩＣ（Application Specified Integrated Circuit）などのハードウェアから構成される回路である。また、制御部３０は、ＣＰＵ（Central Processing Unit）などのプロセッサを含む回路、ＦＰＧＡ、またはＡＳＩＣなどのハードウェアから構成される回路である。光ＩＦ部３３は、例えばレーザダイオードやフォトディテクタなどの光信号の送受信に用いられる回路を備える。
【００５３】
また、伝送ユニット１ｂにおいて、ＳＮＩ部１３は、光ＩＦ部３３との間でベースバンド信号を送受信する。ＳＮＩ部１３は、主信号処理部１４からのベースバンド信号を光信号に変換して光ＩＦ部３３に送信する。また、ＳＮＩ部１３は、光ＩＦ部３３からの光信号を電気的なベースバンド信号に変換して主信号処理部１４に送信する。
【００５４】
主信号処理部１４はベースバンド信号をＰＯＮ９内の主信号として伝送するための処理を行う。主信号処理部１４は、ＳＮＩ部１３から入力されたベースバンド信号をイーサネット（登録商標、以下同様）信号に収容して多重部１５に出力する。また、主信号処理部１４は、分離部１６から入力されたイーサネット信号からベースバンド信号を取得してＳＮＩ部１３に出力する。なお、イーサネット信号は、ＰＯＮ９内の上り信号及び下り信号のフォーマットの一例であるが、他のフォーマットが用いられてもよい。
【００５５】
多重部１５は主信号に制御信号を多重する。例えば多重部１５は、主信号処理部１４から入力された下り信号に、ＭＳＧ処理部１９から入力されたメッセージを制御信号として例えば一定の時間間隔で挿入する。多重部１５は、多重した下り信号を光モジュール１７に出力する。
【００５６】
分離部１６は主信号から制御信号を分離する。例えば分離部１６は、光モジュール１７から入力された上り信号から、制御信号としてメッセージを分離してＭＳＧ処理部１９に出力する。分離部１６は、分離後の上り信号を主信号処理部１４に出力する。
【００５７】
光モジュール１７には、光信号を送信する送信器１７０、及び光信号を受信する受信器１７１が含まれる。送信器１７０は多重部１５からの下り信号を電気−光変換してＷＤＭカプラ１８に出力する。受信器１７１は上り信号を光−電気変換して分離部１６に出力する。
【００５８】
送信器１７０が送信する光信号の波長（下り波長λd1，・・・，λdn）、及び受信器１７１が受信する光信号の波長（上り波長λu1，・・・，λun）は伝送制御部１０から送信器１７０及び受信器１７１にそれぞれ設定される。なお、受信器１７１は受信部の一例である。
【００５９】
ＷＤＭカプラ１８は送信器１７０からの下り信号をＡＷＧ１ｃに導く。また、ＷＤＭカプラ１８はＡＷＧ１ｃからの上り信号を受信器１７１に導く。ＷＤＭカプラ１８によると、伝送ユニット１ｂは１芯の光ファイバで光信号を送受信することができる。
【００６０】
伝送制御部１０は、主信号処理部１４に対し下り信号及び上り信号の伝送処理を制御する。また、伝送制御部１０は、ＭＳＧ処理部１９にメッセージの生成及び送信を指示し、ＭＳＧ処理部１９からメッセージを受信する。なお、メッセージとしては、例えば「Channel_Profile」メッセージ、「Serial_Number_ONU」メッセージ、及び「Assign_ONU-ID」メッセージが挙げられる。
【００６１】
また、メモリ１１は伝送制御部１０に接続されており、ＯＮＵ２の起動リストなどの各種の制御情報を記憶する。伝送制御部１０は、制御ＩＦ部１２を介してＢＢＵ３の制御部３０と通信する。伝送制御部１０は、制御部３０からＲＲＨ−ＩＤを受信してメモリ１１に記憶する。このとき、制御ＩＦ部１２は、取得部の一例として、ＢＢＵ３からＲＲＨ−ＩＤを取得する。
【００６２】
また、伝送制御部１０は、制御ユニット１ａから、下り波長λd1，・・・，λdn及び上り波長λu1，・・・，λunを示す波長情報を取得する。伝送制御部１０は、波長情報をメモリ１１に記憶し、波長情報に基づいて光モジュール１７に下り波長λd1，・・・，λdn及び上り波長λu1，・・・，λunを設定する。
【００６３】
伝送制御部１０は、波長情報及びＲＲＨ−ＩＤを含む「Channel_Profile」メッセージの生成をＭＳＧ処理部１９に指示する。ＭＳＧ処理部１９は「Channel_Profile」メッセージを生成して多重部１５に出力する。「Channel_Profile」メッセージは多重部１５で下り信号に挿入されて送信器１７０から各ＯＮＵ２に送信される。なお、送信器１７０は送信部の一例であり、「Channel_Profile」メッセージは第１信号の一例である。
【００６４】
また、伝送制御部１０は、「Channel_Profile」メッセージの送信に応じ「Serial_Number_ONU」メッセージをＭＳＧ処理部１９から受信する。伝送制御部１０は、複数のＯＮＵ２のうち、最も早く受信した「Serial_Number_ONU」メッセージの送信元のＯＮＵ２を起動リストに登録する。なお、起動リストはメモリ１１に格納され、起動状態のＯＮＵ２が登録される。
【００６５】
伝送制御部１０は、「Serial_Number_ONU」メッセージの受信に応じて、ＭＳＧ処理部１９に「Assign_ONU-ID」メッセージの生成を指示する。「Assign_ONU-ID」メッセージは送信器１７０からＯＮＵ２に送信される。なお、「Serial_Number_ONU」メッセージは第２信号の一例であり、「Assign_ONU-ID」メッセージは第３信号の一例である。
【００６６】
これにより、ＯＮＵ２と伝送ユニット１ｂの間のリンクが確立する。伝送制御部１０は、例えばＭＳＧ処理部１９に所定のメッセージの送信を指示することによりリンクを確立する。リンクの確立の対象のＯＮＵ２は、「Channel_Profile」メッセージに含まれるＲＲＨ−ＩＤに基づきＢＢＵ３の通信先のＲＲＨ４となる。なお、リンクの確立処理については後述する。
【００６７】
なお、主信号処理部１４、ＳＮＩ部１３、多重部１５、分離部１６、ＭＳＧ処理部１９、及び制御ＩＦ部１２は、例えばＦＰＧＡやＡＳＩＣなどのハードウェアから構成される回路である。また、伝送制御部１０は、ＣＰＵなどのプロセッサを含む回路、ＦＰＧＡ、またはＡＳＩＣなどのハードウェアから構成される回路である。送信器１７０は、例えばレーザダイオードや変調器などの回路を備え、受信器１７１は、例えばフォトディテクタや復調器などの回路を備える。
【００６８】
図６は、ＯＮＵ２及びＲＲＨ４の一例を示す構成図である。ＯＮＵ２は、ＯＮＵ制御部２０、メモリ２１、制御ＩＦ部２２、ＵＮＩ（User Network Interface）部２３、主信号処理部２４、多重部２５、分離部２６、光モジュール２７、ＷＤＭカプラ２８、ＭＳＧ処理部２９、及びＧＰＳ（Global Positioning System）通信部２００を有する。ＲＲＨ４は、制御部４０、メモリ４１、制御ＩＦ部４２、光ＩＦ部４３、無線処理部４４、及びＧＰＳ通信部４５を有する。
【００６９】
ＲＲＨ４において、無線処理部４４は、スマートフォンなどの移動体端末との無線通信を処理する。無線処理部４４は、光ＩＦ部４３から入力されたベースバンド信号を所定の無線周波数のＲＦ（Radio Frequency）信号に変換して移動体端末に送信する。また、無線処理部４４は、移動体端末からのＲＦ信号をベースバンド信号に変換して光ＩＦ部４３に出力する。
【００７０】
光ＩＦ部４３は、無線処理部４４からのベースバンド信号を光信号に変換してＵＮＩ部２３に送信する。また、光ＩＦ部４３は、ＵＮＩ部２３からの光信号を電気的なベースバンド信号に変換して無線処理部４４に送信する。
【００７１】
制御部４０は、無線処理部４４及び光ＩＦ部４３の伝送処理を制御する。また、制御部４０は制御ＩＦ部４２を介してＯＮＵ２の制御ＩＦ部２２と通信する。
【００７２】
メモリ４１は制御部４０に接続されている。メモリ４１には、ＲＲＨ４を識別するＲＲＨ−ＩＤ（＃１〜＃ｍ）が記憶される。ＲＲＨ−ＩＤは、例えば設置時に端末（不図示）などから制御部４０を介してメモリ４１に書き込まれる。制御部４０は、起動シーケンスにおいてメモリ４１からＲＲＨ−ＩＤを読み出して制御ＩＦ部４２からＯＮＵ２に送信する。
【００７３】
ＧＰＳ通信部４５は、ＧＰＳ機能によりＲＲＨ４の設置場所の緯度及び経度などの位置情報を取得する。制御部４０は位置情報をＧＰＳ通信部４５から取得する。ＧＰＳ通信部４５は、後述するようにリンクの確立処理の判定にＯＮＵ２の位置情報を使用する場合だけ設けられてもよい。
【００７４】
なお、無線処理部４４及びＧＰＳ通信部４５は、例えばアンテナ回路、及びＦＰＧＡやＡＳＩＣなどのハードウェアから構成される回路である。制御ＩＦ部４２はＦＰＧＡ及びＡＳＩＣなどのハードウェアから構成される回路である。また、制御部４０は、ＣＰＵなどのプロセッサを含む回路、ＦＰＧＡ、またはＡＳＩＣなどのハードウェアから構成される回路である。光ＩＦ部４３は、例えばレーザダイオードやフォトディテクタなどの光信号の送受信に用いられる回路を備える。
【００７５】
ＯＮＵ２において、ＵＮＩ部２３は、光ＩＦ部４３との間でベースバンド信号を送受信する。ＵＮＩ部２３は、主信号処理部２４からのベースバンド信号を光信号に変換して光ＩＦ部４３に送信する。また、ＵＮＩ部２３は、光ＩＦ部４３からの光信号を電気的なベースバンド信号に変換して主信号処理部２４に送信する。
【００７６】
主信号処理部２４はベースバンド信号をＰＯＮ９内の主信号として伝送するための処理を行う。主信号処理部２４は、ＵＮＩ部２３から入力されたベースバンド信号をイーサネット信号に収容して多重部２５に出力する。また、主信号処理部２４は、分離部２６から入力されたイーサネット信号からベースバンド信号を取得してＵＮＩ部２３に出力する。
【００７７】
多重部２５は主信号に制御信号を多重する。例えば多重部２５は、主信号処理部２４から入力された上り信号に、ＭＳＧ処理部２９から入力されたメッセージを制御信号として例えば一定の時間間隔で挿入する。多重部２５は、多重した上り信号を光モジュール２７に出力する。
【００７８】
分離部２６は主信号から制御信号を分離する。例えば分離部２６は、光モジュール２７から入力された下り信号から、制御信号としてメッセージを分離してＭＳＧ処理部２９に出力する。分離部２６は分離後の下り信号を主信号処理部２４に出力する。
【００７９】
光モジュール２７には、光信号を送信する送信器２７２、光信号の波長のフィルタリングを行う波長フィルタ２７０、及び光信号を受信する受信器２７１が含まれる。送信器２７２は、多重部２５からの上り信号を電気−光変換してＷＤＭカプラ２８に出力する。送信器２７２は、ＯＮＵ制御部２０から設定された上り波長λu1，λu2，・・・，λunの光信号を上り信号として送信する。なお、送信器２７２は信号送信部の一例であり、受信器２７１は信号受信部の一例である。
【００８０】
波長フィルタ２７０は、ＷＤＭカプラ２８から入力される光信号のうち、ＯＮＵ制御部２０から設定された下り波長λd1，λd2，・・・，λdnの光信号を透過して下り信号として受信器２７１に出力する。受信器２７１は下り信号を光−電気変換して分離部２６に出力する。
【００８１】
ＷＤＭカプラ２８は送信器２７２からの上り信号を伝送路９０に導く。また、ＷＤＭカプラ２８は伝送路９０からの下り信号を波長フィルタ２７０に導く。ＷＤＭカプラ２８によると、ＯＮＵ２は１芯の光ファイバで光信号を送受信することができる。
【００８２】
ＯＮＵ制御部２０は、主信号処理部２４に対し下り信号及び上り信号の伝送処理を制御する。また、ＯＮＵ制御部２０は、ＭＳＧ処理部２９にメッセージの生成及び送信を指示し、ＭＳＧ処理部２９からメッセージを受信する。
【００８３】
また、メモリ２１はＯＮＵ制御部２０に接続されており、各種の制御情報を記憶する。ＯＮＵ制御部２０は、制御ＩＦ部２２を介してＲＲＨ４の制御部４０と通信する。ＯＮＵ制御部２０は制御部４０からＲＲＨ−ＩＤを受信してメモリ２１に記憶する。
【００８４】
ＯＮＵ制御部２０は、ＭＳＧ処理部１９から「Channel_Profile」メッセージを受信して、「Channel_Profile」メッセージから波長情報を取得する。ＯＮＵ制御部２０は波長情報をメモリ２１に記憶する。ＯＮＵ制御部２０は、波長情報に基づいて上り波長λu1，λu2，・・・，λunを送信器２７２に設定する。
【００８５】
また、ＯＮＵ制御部２０は、「Channel_Profile」メッセージからＲＲＨ−ＩＤを取得して、メモリ２１内のＲＲＨ−ＩＤと比較する。ＯＮＵ制御部２０は、比較の結果、ＲＲＨ−ＩＤ同士が一致した場合、「Serial_Number_ONU」メッセージの生成をＭＳＧ処理部２９に指示する。ＭＳＧ処理部２９は「Serial_Number_ONU」メッセージを生成して多重部２５に出力する。「Serial_Number_ONU」メッセージは多重部２５で上り信号に挿入されて送信器２７２から伝送ユニット１ｂに送信される。
【００８６】
さらにＯＮＵ制御部２０は「Serial_Number_ONU」メッセージの送信に応じ「Assign_ONU-ID」メッセージをＭＳＧ処理部２９から受信する。ＯＮＵ制御部２０は、「Assign_ONU-ID」メッセージからＯＮＵ−ＩＤを取得してメモリ２１に記憶する。これにより、伝送ユニット１ｂとＯＮＵ２の間にリンクが確立する。ＯＮＵ−ＩＤは伝送ユニット１ｂとＯＮＵ２の間の伝送処理において用いられる。なお、ＯＮＵ制御部２０は制御部の一例である。
【００８７】
このように、ＲＲＨ−ＩＤ同士の比較結果に基づき、ＢＢＵ３の通信先のＲＲＨ４に接続されたＯＮＵ２だけが「Serial_Number_ONU」メッセージを伝送ユニット１ｂに送信してリンクを確立することができる。このため、ＢＢＵ３は、ＰＯＮ９を介して通信先のＲＲＨ４と通信することができる。
【００８８】
ＧＰＳ通信部２００は、ＯＮＵ２の位置を検出する検出部の一例である。ＧＰＳ通信部２００は、ＧＰＳ機能によりＯＮＵ２の設置場所の緯度及び経度などの位置情報を取得する。ＯＮＵ制御部２０は位置情報をＧＰＳ通信部２００から取得する。ＧＰＳ通信部２００は、後述するようにリンクの確立処理の判定にＯＮＵ２の位置情報を使用する場合だけ設けられてもよい。
【００８９】
なお、主信号処理部２４、ＵＮＩ部２３、多重部２５、分離部２６、ＭＳＧ処理部２９、及び制御ＩＦ部２２は、例えばＦＰＧＡやＡＳＩＣなどのハードウェアから構成される回路である。ＧＰＳ通信部２００は、例えばアンテナ回路、及びＦＰＧＡやＡＳＩＣなどのハードウェアから構成される回路である。また、ＯＮＵ制御部２０は、ＣＰＵなどのプロセッサを含む回路、ＦＰＧＡ、またはＡＳＩＣなどのハードウェアから構成される回路である。送信器２７２は、例えばレーザダイオードや変調器などの回路を備え、受信器２７１は、例えばフォトディテクタや復調器などの回路を備える。
【００９０】
次にリンクを確立するシーケンスの例を説明する。なお、以下のシーケンスは、伝送ユニット１ｂと各ＯＮＵ２の間の伝送方法の一例である。
【００９１】
図７及び図８は、伝送ユニット１ｂとＯＮＵ２の間のリンクを確立する処理の一例を示すシーケンス図である。本例では２台のＰｔＰ  ＷＤＭの伝送ユニット（＃１，＃ｎ）１ｂと２台の未起動のＯＮＵ（＃１，＃ｍ）２の間でリンクを確立するシーケンスを挙げるが、伝送ユニット１ｂ及びＯＮＵ２の台数に限定はない。また、ＯＮＵ（＃１）２は、ＯＮＵ（＃ｍ）２より遅い時刻Ｔｏｎに電源投入されるため、その時刻Ｔｏｎ後に伝送ユニット（＃ｎ）１ｂから送信されたメッセージを受信すると仮定する。
【００９２】
まず図７を参照すると、ＢＢＵ（＃１）３は伝送ユニット（＃１）１ｂにＲＲＨ−ＩＤ＃１を通知し、伝送ユニット（＃１）１ｂはＢＢＵ（＃１）３にＡＣＫを応答する。このとき、制御ＩＦ部１２はＢＢＵ（＃１）３からＲＲＨ−ＩＤ＃１を取得して伝送制御部１０に出力する。なお、ＲＲＨ−ＩＤ＃１はメモリ１１に記憶される。
【００９３】
また、ＲＲＨ（＃ｍ）４はＯＮＵ（＃ｍ）２にＲＲＨ−ＩＤ＃ｍを送信し、ＯＮＵ（＃ｍ）２はＲＲＨ（＃ｍ）４にＡＣＫを応答する。このとき、制御ＩＦ部２２はＲＲＨ（＃ｍ）３からＲＲＨ−ＩＤ＃ｍを取得してＯＮＵ制御部２０に出力する。なお、ＲＲＨ−ＩＤ＃ｍはメモリ２１に記憶される。
【００９４】
伝送ユニット（＃１）１ｂは、波長情報（λd1，λu1）及びＲＲＨ−ＩＤ＃１を含む「Channel_Profile」メッセージを送信する。このとき、ＭＳＧ処理部１９が伝送制御部１０の指示に従って「Channel_Profile」メッセージを生成し、「Channel_Profile」メッセージは送信器１７０から送信される。「Channel_Profile」メッセージは、電源投入されたＯＮＵ（＃ｍ）２において受信されるが、電源投入されていないＯＮＵ（＃１）２では受信されない。
【００９５】
図９は、波長情報及びＲＲＨ−ＩＤを含む「Channel_Profile」メッセージの一例を示す図である。図９において、縦方向及び横方向の各数字はメッセージ中の各フィールドの位置をオクテットで表す。
【００９６】
点線枠で示されるフィールドには波長情報（λd1，λu1）及びＲＲＨ−ＩＤ＃１が挿入される。下り波長λd1は「Downstream frequency」に挿入され、上り波長λu1は「Upstream frequency」に挿入される。また、ＲＲＨ−ＩＤ＃１は「RRH-ID」フィールドに挿入される。なお、他のフィールドの内容はＩＴＵ−Ｔ勧告Ｇ．９８９．３に規定されている。
【００９７】
再び図７を参照すると、ＯＮＵ（＃ｍ）２は、波長フィルタ２７０の波長をスイープさせることにより「Channel_Profile」メッセージを受信器２７１で受信する。このとき、ＯＮＵ制御部２０は、波長フィルタ２７０の波長を変化させ、ＭＳＧ処理部２９から「Channel_Profile」メッセージを受信したときの波長を波長フィルタ２７０に設定する。なお、この波長は、「Channel_Profile」メッセージ内の波長情報が示す下り波長λd1に一致する。
【００９８】
ＯＮＵ制御部２０は「Channel_Profile」メッセージから波長情報及びＲＲＨ−ＩＤ＃１を取得する。ＯＮＵ制御部２０は、波長情報が示す上り波長λu1を送信器２７２に設定する（Ｓ２０）。なお、ＲＲＨ−ＩＤ＃１はメモリ２１に記憶される。
【００９９】
次に、ＯＮＵ制御部２０は、「Channel_Profile」メッセージから取得したＲＲＨ−ＩＤ＃１と、ＲＲＨ（＃ｍ）４から取得したＲＲＨ−ＩＤ＃ｍを比較し、その結果、両者が不一致であると判定する（Ｓ２１）。このため、ＯＮＵ制御部２０は、「Channel_Profile」メッセージに応じた「Serial_Number_ONU」メッセージの送信処理を中止する。このため、伝送ユニット（＃１）１ｂはＯＮＵ（＃ｍ）２とリンクを確立しない。
【０１００】
一方、ＢＢＵ（＃ｎ）３は伝送ユニット（＃ｎ）１ｂにＲＲＨ−ＩＤ＃ｍを通知し、伝送ユニット（＃ｎ）１ｂはＢＢＵ（＃ｎ）３にＡＣＫを応答する。このとき、制御ＩＦ部１２はＢＢＵ（＃ｎ）３からＲＲＨ−ＩＤ＃ｍを取得して伝送制御部１０に出力する。なお、ＲＲＨ−ＩＤ＃ｍはメモリ１１に記憶される。
【０１０１】
また、ＯＮＵ（＃ｍ）２が電源投入されると、ＲＲＨ（＃１）４はＯＮＵ（＃１）２にＲＲＨ−ＩＤ＃１を送信し、ＯＮＵ（＃１）２はＲＲＨ（＃１）４にＡＣＫを応答する。このとき、制御ＩＦ部２２はＲＲＨ（＃１）３からＲＲＨ−ＩＤ＃１を取得してＯＮＵ制御部２０に出力する。なお、ＲＲＨ−ＩＤ＃１はメモリ２１に記憶される。
【０１０２】
伝送ユニット（＃ｎ）１ｂは、波長情報（λdn，λun）及びＲＲＨ−ＩＤ＃ｍを含む「Channel_Profile」メッセージを送信する。このとき、ＭＳＧ処理部１９が伝送制御部１０の指示に従って「Channel_Profile」メッセージを生成し、「Channel_Profile」メッセージは送信器１７０から送信される。「Channel_Profile」メッセージは、時刻Ｔｏｎ後に送信され、ＯＮＵ（＃ｍ）２及びＯＮＵ（＃１）２で受信される。
【０１０３】
ＯＮＵ（＃１）２は、波長フィルタ２７０の波長をスイープさせることにより「Channel_Profile」メッセージを受信器２７１で受信する。なお、このときの波長は、「Channel_Profile」メッセージ内の波長情報が示す下り波長λdnに一致する。
【０１０４】
ＯＮＵ制御部２０は「Channel_Profile」メッセージから波長情報及びＲＲＨ−ＩＤ＃ｍを取得する。ＯＮＵ制御部２０は、波長情報が示す上り波長λunを送信器２７２に設定する（Ｓ２５）。なお、ＲＲＨ−ＩＤ＃１はメモリ２１に記憶される。
【０１０５】
次に、ＯＮＵ制御部２０は、「Channel_Profile」メッセージから取得したＲＲＨ−ＩＤ＃ｍと、ＲＲＨ（＃１）４から取得したＲＲＨ−ＩＤ＃１を比較し、その結果、両者が不一致であると判定する（Ｓ２６）。このため、ＯＮＵ制御部２０は、「Channel_Profile」メッセージに応じた「Serial_Number_ONU」メッセージの生成の指示を中止する。このため、伝送ユニット（＃ｎ）１ｂはＯＮＵ（＃１）２とリンクを確立しない。
【０１０６】
一方、ＯＮＵ（＃ｍ）２において、ＯＮＵ制御部２０は「Channel_Profile」メッセージから波長情報及びＲＲＨ−ＩＤ＃ｍを取得する。ＯＮＵ制御部２０は、波長情報が示す上り波長λunを送信器２７２に設定する（Ｓ２２）。
【０１０７】
次に、ＯＮＵ制御部２０は、「Channel_Profile」メッセージから取得したＲＲＨ−ＩＤ＃ｍと、ＲＲＨ（＃ｍ）４から取得したＲＲＨ−ＩＤ＃ｍを比較し、その結果、両者が一致すると判定する（Ｓ２３）。このため、ＯＮＵ制御部２０は、「Channel_Profile」メッセージに応じた「Serial_Number_ONU」メッセージの生成をＭＳＧ処理部２９に指示する。
【０１０８】
ＭＳＧ処理部２９はＯＮＵ制御部２０の指示に従い「Serial_Number_ONU」メッセージを生成する。送信器２７２は「Serial_Number_ONU」メッセージを含む上り信号を送信する。このとき、上り信号の波長は、「Channel_Profile」メッセージ内の波長情報が示す上り波長λunに一致するため、伝送ユニット（＃ｎ）１ｂは「Serial_Number_ONU」メッセージを受信できるが、伝送ユニット（＃１）１ｂは「Serial_Number_ONU」メッセージを受信できない。
【０１０９】
伝送ユニット（＃ｎ）１ｂにおいて、受信器１７１が、「Serial_Number_ONU」メッセージを含む上り信号を受信すると、伝送制御部１０は、ＭＳＧ処理部１９から「Serial_Number_ONU」メッセージを受信する。伝送制御部１０は、「Serial_Number_ONU」メッセージに応じてＯＮＵ（＃ｍ）２をメモリ１１内の起動リストに登録する（Ｓ２７）。起動リストに登録されたＯＮＵ２は、ＰＯＮ９内の主信号の帯域が割り当てられる。
【０１１０】
次に、伝送制御部１０は、「Serial_Number_ONU」メッセージの送信元のＯＮＵ（＃ｍ）２を宛先とする「Assign_ONU-ID」メッセージの生成をＭＳＧ処理部１９に指示する。ＭＳＧ処理部１９は指示に従い「Assign_ONU-ID」メッセージを生成する。送信器１７０は、「Assign_ONU-ID」メッセージを含む下り信号をＯＮＵ（＃ｍ）２に送信する。ＯＮＵ（＃ｍ）２は「Assign_ONU-ID」メッセージを受信する。
【０１１１】
ＯＮＵ（＃ｍ）２において、受信器２７１が、「Assign_ONU-ID」メッセージを含む下り信号を受信すると、ＯＮＵ制御部２０は、「Assign_ONU-ID」メッセージをＭＳＧ処理部２９から受信する。ＯＮＵ制御部２０は、「Assign_ONU-ID」メッセージからＯＮＵ−ＩＤを取得してメモリ２１に記憶する。ＯＮＵ制御部２０は、ＯＮＵ−ＩＤに基づいて伝送ユニット（＃ｎ）１ｂとの間の主信号の伝送に必要な通信設定を行う（Ｓ２８）。
【０１１２】
これにより、ＯＮＵ（＃ｍ）２は起動状態となり、伝送ユニット（＃ｎ）１ｂとＯＮＵ（＃ｍ）２の間にリンクが確立する。伝送ユニット（＃ｎ）１ｂとＯＮＵ（＃ｍ）２はリンクが確立することにより、ＢＢＵ（＃１）３及びＲＲＨ（＃ｍ）の間の通信を中継する中継経路を設定する。なお、伝送制御部１０は、中継経路を設定する設定部の一例である。
【０１１３】
伝送ユニット（＃１）１ｂの伝送制御部１０は、制御ＩＦ部１２を介してＢＢＵ（＃１）３にリンク確立の完了を通知する。ＯＮＵ（＃ｍ）２のＯＮＵ制御部２０は、制御ＩＦ部２２を介してＲＲＨ（＃ｍ）４にリンク確立の完了を通知する。これに応じて、ＢＢＵ（＃ｎ）３とＲＲＨ（＃ｍ）４は通信を開始する。
【０１１４】
次に図８を参照すると、未リンクの伝送ユニット（＃１）１ｂは、波長情報（λd1，λu1）及びＲＲＨ−ＩＤ＃１を含む「Channel_Profile」メッセージを送信する。ＯＮＵ（＃ｍ）２は起動済みであるため、ＯＮＵ（＃１）２だけが「Channel_Profile」メッセージを受信する。
【０１１５】
ＯＮＵ（＃１）２において、ＯＮＵ制御部２０は、「Channel_Profile」メッセージ内の波長情報が示す上り波長λunを送信器２７２に設定する（Ｓ３０）。次に、ＯＮＵ制御部２０は、「Channel_Profile」メッセージから取得したＲＲＨ−ＩＤ＃１と、ＲＲＨ（＃１）４から取得したＲＲＨ−ＩＤ＃１を比較し、その結果、両者が一致すると判定する（Ｓ３１）。このため、ＯＮＵ制御部２０は、「Channel_Profile」メッセージに応じた「Serial_Number_ONU」メッセージの生成をＭＳＧ処理部２９に指示する。
【０１１６】
伝送ユニット（＃１）１ｂにおいて、伝送制御部１０は、「Serial_Number_ONU」メッセージをＭＳＧ処理部１９から受信し、ＯＮＵ（＃１）２を起動リストに登録する（Ｓ３３）。次に伝送ユニット（＃１）１ｂは「Assign_ONU-ID」メッセージをＯＮＵ（＃１）２に送信する。ＯＮＵ（＃１）２は「Assign_ONU-ID」メッセージに応じて通信設定を行う（Ｓ３４）。
【０１１７】
これにより、ＯＮＵ（＃１）２は起動状態となり、伝送ユニット（＃１）１ｂとＯＮＵ（＃１）２の間にリンクが確立する。伝送ユニット（＃１）１ｂはＢＢＵ（＃１）３にリンク確立の完了を通知し、ＯＮＵ（＃１）２はＲＲＨ（＃１）４にリンク確立の完了を通知する。これに応じて、ＢＢＵ（＃１）３とＲＲＨ（＃１）４は通信を開始する。
【０１１８】
次に、ＢＢＵ３、伝送ユニット１ｂ、ＯＮＵ２、及びＲＲＨ４の各動作を述べる。
【０１１９】
図１０は、ＢＢＵ３の動作の一例を示すフローチャートである。制御部３０は、制御ＩＦ部３２を介してＲＲＨ−ＩＤを伝送ユニット１ｂに通知する（ステップＳｔ１）。次に、制御部３０は、伝送ユニット１ｂから制御ＩＦ部３２を介してＡＣＫを受信したか否かを判定する（ステップＳｔ２）。ＡＣＫが未受信である場合（ステップＳｔ２のＮｏ）、再びステップＳｔ１以降の各処理が実行される。
【０１２０】
次に、制御部３０は、ＡＣＫが受信済みである場合（ステップＳｔ２のＹｅｓ）、伝送ユニット１ｂから制御ＩＦ部３２を介してリンク確立の完了の通知を受信したか否かを判定する（ステップＳｔ３）。次に、制御部３０は、ベースバンド処理部３４及び光ＩＦ部３３を制御することによりＲＲＨ４との通信を開始する（ステップＳｔ４）。このようにしてＢＢＵ３は動作する。
【０１２１】
図１１は、伝送ユニット１ｂの動作の一例を示すフローチャートである。伝送制御部１０は、ＢＢＵ３から制御ＩＦ部１２を介してＲＲＨ−ＩＤを受信したか否かを判定する（ステップＳｔ１１）。ＲＲＨ−ＩＤが未受信である場合（ステップＳｔ１１のＮｏ）、再びステップＳｔ１１の処理が実行される。
【０１２２】
また、伝送制御部１０は、ＲＲＨ−ＩＤが受信済みである場合（ステップＳｔ１１のＹｅｓ）、制御ＩＦ部１２を介してＢＢＵ３にＡＣＫを送信する（ステップＳｔ１２）。次に、ＭＳＧ処理部１９は、伝送制御部１０の指示に従い「Channel_Profile」メッセージを生成し、送信器１７０は「Channel_Profile」メッセージを送信する（ステップＳｔ１３）。
【０１２３】
次に、伝送制御部１０は、「Serial_Number_ONU」メッセージを受信したか否かを判定する（ステップＳｔ１４）。「Serial_Number_ONU」メッセージが未受信である場合（ステップＳｔ１４のＮｏ）、ステップＳｔ１３以降の各処理が実行される。
【０１２４】
また、伝送制御部１０は、「Serial_Number_ONU」メッセージが受信済みである場合（ステップＳｔ１４のＹｅｓ）、「Serial_Number_ONU」メッセージ内のパラメータから、ＯＮＵ２が登録可能か否かを判定する（ステップＳｔ１５）。ＯＮＵ２が登録可能である場合（ステップＳｔ１５のＮｏ）、再びステップＳｔ１３以降の各処理が実行される。
【０１２５】
また、伝送制御部１０は、ＯＮＵ２が登録可能である場合（ステップＳｔ１５のＹｅｓ）、ＯＮＵ２を起動リストに登録する（ステップＳｔ１６）。次に、ＭＳＧ処理部１９は、伝送制御部１０の指示に従い「Assign_ONU-ID」メッセージを生成し、送信器１７０は「Assign_ONU-ID」メッセージを送信する（ステップＳｔ１７）。
【０１２６】
次に、伝送制御部１０は、制御ＩＦ部１２を介してＢＢＵ３にリンク確立の完了を通知する（ステップＳｔ１８）。このようにして伝送ユニット１ｂは動作する。
【０１２７】
図１２は、ＲＲＨ４の動作の一例を示すフローチャートである。制御部４０は、制御ＩＦ部４２を介してＲＲＨ−ＩＤをＯＮＵ２に通知する（ステップＳｔ２１）。次に、制御部４０は、ＯＮＵ２から制御ＩＦ部４２を介してＡＣＫを受信したか否かを判定する（ステップＳｔ２２）。ＡＣＫが未受信である場合（ステップＳｔ２２のＮｏ）、再びステップＳｔ２１以降の各処理が実行される。
【０１２８】
次に、制御部４０は、ＡＣＫが受信済みである場合（ステップＳｔ２２のＹｅｓ）、ＯＮＵ２から制御ＩＦ部２２を介してリンク確立の完了の通知を受信したか否かを判定する（ステップＳｔ２３）。次に、制御部４０は、無線処理部４４及び光ＩＦ部４３を制御することによりＢＢＵ３との通信を開始する（ステップＳｔ２４）。このようにしてＲＲＨ４は動作する。
【０１２９】
図１３は、ＯＮＵ２の動作の一例を示すフローチャートである。ＯＮＵ制御部２０は、ＲＲＨ４から制御ＩＦ部２２を介してＲＲＨ−ＩＤを受信したか否かを判定する（ステップＳｔ３１）。ＲＲＨ−ＩＤが未受信である場合（ステップＳｔ３１のＮｏ）、再びステップＳｔ３１の処理が実行される。
【０１３０】
また、ＯＮＵ制御部２０は、ＲＲＨ−ＩＤが受信済みである場合（ステップＳｔ３１のＹｅｓ）、制御ＩＦ部２２を介してＲＲＨ４にＡＣＫを送信する（ステップＳｔ３２）。次に、ＯＮＵ制御部２０は、波長フィルタ２７０の波長のスイープを開始する（ステップＳｔ３３）。ＯＮＵ制御部２０は、例えば複数の下り波長λd1，・・・，λdnを一定間隔で１つずつ順次に選択して波長フィルタ２７０に設定することによりスイープを行う。
【０１３１】
次に、ＯＮＵ制御部２０は、ＭＳＧ処理部２９から「Channel_Profile」メッセージを受信したか否かを判定する（ステップＳｔ３４）。「Channel_Profile」メッセージが未受信である場合（ステップＳｔ３４のＮｏ）、再びステップＳｔ３４の処理が実行される。
【０１３２】
ＯＮＵ制御部２０は、「Channel_Profile」メッセージが受信済みである場合（ステップＳｔ３４のＹｅｓ）、波長フィルタ２７０の波長のスイープを停止する（ステップＳｔ３５）。このとき、波長フィルタ２７０の波長は、「Channel_Profile」メッセージを受信したときの波長となる。
【０１３３】
次に、ＯＮＵ制御部２０は、「Channel_Profile」メッセージ内の波長情報が示す上り波長λu1，・・・，λunを送信器２７２に設定する（ステップＳｔ３６）。これにより、送信器２７２は、伝送ユニット１ｂの受信器１７１が受信することができる上り波長λu1，・・・，λunの光信号を送信するため、伝送ユニット１ｂはＯＮＵ２からメッセージを受信することができる。
【０１３４】
次に、ＯＮＵ制御部２０は、「Channel_Profile」メッセージ内のＲＲＨ−ＩＤとＲＲＨ４から受信したＲＲＨ−ＩＤを比較する（ステップＳｔ３７）。ＲＲＨ−ＩＤ同士が一致しない場合（ステップＳｔ３７のＮｏ）、ステップＳｔ３３以降の各処理が実行される。ＯＮＵ制御部２０は、ＲＲＨ−ＩＤ同士が一致する場合（ステップＳｔ３７のＹｅｓ）、ＭＳＧ処理部２９に「Serial_Number_ONU」メッセージを生成させ、送信器２７２は「Serial_Number_ONU」メッセージを送信する（ステップＳｔ３８）。
【０１３５】
このように、ＯＮＵ制御部２０は、ＲＲＨ４からＲＲＨ−ＩＤを取得し、「Channel_Profile」メッセージ内のＲＲＨ−ＩＤとＲＲＨ４から取得したＲＲＨ−ＩＤに基づき接続先のＲＲＨ４がＢＢＵ３の通信先のＲＲＨであるか否かを判定する。
【０１３６】
次に、ＯＮＵ制御部２０は、「Serial_Number_ONU」メッセージの送信後の所定時間内にＭＳＧ処理部２９から「Assign_ONU-ID」メッセージを受信したか否かを判定する（ステップＳｔ３９）。「Assign_ONU-ID」メッセージが未受信である場合（ステップＳｔ３９のＮｏ）、再びステップＳｔ３３の処理が実行される。
【０１３７】
次に、ＯＮＵ制御部２０は、「Assign_ONU-ID」メッセージが受信済みである場合（ステップＳｔ３９のＹｅｓ）、「Assign_ONU-ID」メッセージに応じて伝送ユニット１ｂと通信するための通信設定を行う（ステップＳｔ４０）。これにより、伝送ユニット１ｂとＯＮＵ２の間にリンクが確立する。
【０１３８】
次に、ＯＮＵ制御部２０は、制御ＩＦ部２２を介してＲＲＨ４にリンク確立の完了を通知する（ステップＳｔ４１）。このようにしてＯＮＵ２は動作する。
【０１３９】
このように、伝送ユニット１ｂにおいて、制御ＩＦ部１２はＢＢＵ３から、ＢＢＵ３の通信先のＲＲＨ４を識別するＲＲＨ−ＩＤを取得する。受信器１７１は、各ＯＮＵ２から所定の上り波長λu1，・・・，λunの上り信号を受信する。送信器１７０は、上り波長λu1，・・・，λunを示す波長情報と、ＲＲＨ−ＩＤとを含む「Channel_Profile」メッセージを各ＯＮＵ２に送信する。
【０１４０】
このため、各ＯＮＵ２は、「Channel_Profile」メッセージ内のＲＲＨ−ＩＤに基づき接続先のＲＲＨ４がＢＢＵ３の通信先のＲＲＨ４であるか否かを判定することができる。また、各ＯＮＵ２は、波長情報に従って、伝送ユニット１ｂが受信可能な上り波長λu1，・・・，λunの光信号を送信することができる。
【０１４１】
したがって、ＢＢＵ３の通信先のＲＲＨ４に接続されたＯＮＵ２は、判定結果に基づいて、上り波長λu1，・・・，λunの光信号に「Channel_Profile」メッセージを重畳して伝送ユニット１ｂに送信することができる。また、他のＯＮＵ２は、判定結果に基づいて「Channel_Profile」メッセージの送信を控えることができる。このため、伝送ユニット１ｂには、ＢＢＵ３の通信先のＲＲＨ４に接続されたＯＮＵ２のみから「Channel_Profile」メッセージが送信される。
【０１４２】
また、伝送制御部１０は、受信器１７１が、ＢＢＵ３の通信先のＲＲＨ４に接続されたＯＮＵ２から、「Channel_Profile」メッセージに応じた上り波長λu1，・・・，λunの「Serial_Number_ONU」メッセージを受信したとき、ＢＢＵ３及び通信先のＲＲＨ４の間の通信を中継する中継経路をＯＮＵ２との間に設定する。
【０１４３】
このため、ＢＢＵ３は伝送ユニット１ｂ及びＯＮＵ２を介して通信先のＲＲＨ４と通信することができる。よって、互いに対応するＢＢＵ３とＲＲＨ４の間の通信が可能となる。
【０１４４】
また、ＯＮＵ２において、受信器２７１は、波長情報及びＲＲＨ−ＩＤを含む「Channel_Profile」メッセージを受信する。ＯＮＵ制御部２０は、ＲＲＨ−ＩＤに基づき接続先のＲＲＨ４がＢＢＵ３の通信先のＲＲＨであるか否かを判定して、接続先のＲＲＨ４が通信先のＲＲＨである場合、波長情報が示す上り波長λu1，・・・，λunの「Serial_Number_ONU」メッセージを送信器２７２に送信させる。
【０１４５】
ＯＮＵ制御部２０は、受信器２７１が伝送ユニット１ｂから「Channel_Profile」メッセージに応じた「Assign_ONU-ID」メッセージを受信したとき、ＢＢＵ３及びＲＲＨ４の間の通信を中継する中継経路を伝送ユニット１ｂとの間に設定する。このため、上記の効果が得られる。
【０１４６】
また、本例では、ＢＢＵ３の通信先情報としてＲＲＨ−ＩＤが用いられるため、ＯＮＵ２は、ＲＲＨ４自体の固有の情報に基づいて接続先のＲＲＨ４がＢＢＵ３の通信先のＲＲＨ４であるか否かを判定することができる。しかし、通信先情報としてはＲＲＨ−ＩＤに限定されず、以下に述べるようにＲＲＨ４の設置場所を示す位置情報が用いられてもよい。
【０１４７】
図１４は、伝送ユニット１ｂとＯＮＵ２の間のリンクを確立する処理の他の例を示すシーケンス図である。図１４において、図７及び図８と共通する処理についての説明は省略する。
【０１４８】
本例では１台のＰｔＰ  ＷＤＭの伝送ユニット（＃１）１ｂと２台の未起動のＯＮＵ（＃１，＃ｍ）２の間でリンクを確立するシーケンスを挙げるが、伝送ユニット１ｂ及びＯＮＵ２の台数に限定はない。また、ＯＮＵ（＃１）２は、ＯＮＵ（＃ｍ）２より遅い時刻Ｔｏｎに電源投入されるため、その時刻Ｔｏｎ後に伝送ユニット（＃１）１ｂから送信されたメッセージを受信すると仮定する。
【０１４９】
ＢＢＵ（＃１）３は伝送ユニット（＃１）１ｂに位置情報Ｐ１を通知し、伝送ユニット（＃１）１ｂはＢＢＵ（＃１）３にＡＣＫを応答する。位置情報Ｐ１は、予めメモリ３１に記憶され、ＢＢＵ（＃１）３の通信先のＲＲＨ（＃１）４の位置を示す。位置情報Ｐ１としては、例えば緯度及び経度などが挙げられる。制御ＩＦ部１２はＢＢＵ（＃１）３から位置情報Ｐ１を取得して伝送制御部１０に出力する。なお、位置情報Ｐ１はメモリ１１に記憶される。
【０１５０】
また、ＲＲＨ（＃ｍ）４はＯＮＵ（＃ｍ）２に位置情報Ｐｍを送信し、ＯＮＵ（＃ｍ）２はＲＲＨ（＃ｍ）４にＡＣＫを応答する。位置情報Ｐｍは、ＧＰＳ通信部４５から制御部４０に例えば周期的に通知され、ＲＲＨ（＃ｍ）４の位置を示す。このとき、制御ＩＦ部２２はＲＲＨ（＃ｍ）３から位置情報Ｐｍを取得してＯＮＵ制御部２０に出力する。なお、位置情報Ｐｍはメモリ２１に記憶される。
【０１５１】
伝送ユニット（＃１）１ｂは、波長情報（λd1，λu1）及び位置情報Ｐ１を含む「Channel_Profile」メッセージを送信する。このとき、ＭＳＧ処理部１９が伝送制御部１０の指示に従って「Channel_Profile」メッセージを生成し、「Channel_Profile」メッセージは送信器１７０から送信される。「Channel_Profile」メッセージは、電源投入されたＯＮＵ（＃ｍ）２において受信されるが、電源投入されていないＯＮＵ（＃１）２では受信されない。なお、位置情報Ｐ１は、例えば図９に示される「Channel_Profile」メッセージの「RRH-ID」フィールドに挿入される。
【０１５２】
ＯＮＵ（＃ｍ）２において、ＯＮＵ制御部２０は、「Channel_Profile」メッセージから取得した波長情報が示す上り波長λu1を送信器２７２に設定する（Ｓ４０）。次に、ＯＮＵ制御部２０は、「Channel_Profile」メッセージから取得した位置情報Ｐ１と、ＲＲＨ（＃ｍ）４から取得した位置情報Ｐｍを比較し、その結果、両者が不一致であると判定する（Ｓ４１）。このため、ＯＮＵ制御部２０は、「Channel_Profile」メッセージに応じた「Serial_Number_ONU」メッセージの送信処理を中止する。このため、伝送ユニット（＃１）１ｂはＯＮＵ（＃ｍ）２とリンクを確立しない。
【０１５３】
また、ＯＮＵ（＃ｍ）２が電源投入されると、ＲＲＨ（＃１）４はＯＮＵ（＃１）２にＲＲＨ（＃１）４の位置情報Ｐ１を送信し、ＯＮＵ（＃１）２はＲＲＨ（＃１）４にＡＣＫを応答する。このとき、制御ＩＦ部２２はＲＲＨ（＃１）３から位置情報Ｐ１を取得してＯＮＵ制御部２０に出力する。なお、位置情報Ｐ１はメモリ２１に記憶される。
【０１５４】
伝送ユニット（＃１）１ｂは、波長情報（λd1，λu1）及び位置情報Ｐ１を含む「Channel_Profile」メッセージを送信する。「Channel_Profile」メッセージは、時刻Ｔｏｎ後に送信され、ＯＮＵ（＃ｍ）２及びＯＮＵ（＃１）２で受信される。ＯＮＵ（＃ｍ）２は、「Channel_Profile」メッセージを受信すると、符号Ｓ４０及びＳ４１で示された上記の処理が再び行われる。
【０１５５】
一方、ＯＮＵ（＃１）２において、ＯＮＵ制御部２０は「Channel_Profile」メッセージから波長情報及び位置情報Ｐ１を取得する。ＯＮＵ制御部２０は、波長情報が示す上り波長λunを送信器２７２に設定する（Ｓ４２）。
【０１５６】
次に、ＯＮＵ制御部２０は、「Channel_Profile」メッセージから取得した位置情報Ｐ１と、ＲＲＨ（＃ｍ）４から取得した位置情報Ｐ１を比較し、その結果、両者が一致すると判定する（Ｓ４３）。このため、ＯＮＵ制御部２０は、「Channel_Profile」メッセージに応じた「Serial_Number_ONU」メッセージの生成をＭＳＧ処理部２９に指示する。これにより、「Serial_Number_ONU」メッセージが伝送ユニット１ｂに送信される。
【０１５７】
伝送ユニット１ｂは、「Serial_Number_ONU」メッセージの受信に応じて、ＯＮＵ（＃１）２を起動リストに登録する（Ｓ４４）。次に伝送ユニット１ｂは「Assign_ONU-ID」メッセージをＯＮＵ（＃１）２に送信する。ＯＮＵ（＃１）２は「Assign_ONU-ID」メッセージの受信に応じて通信設定を行う（Ｓ４５）。
【０１５８】
このため、伝送ユニット（＃１）１ｂとＯＮＵ（＃１）２の間でリンクが確立して、ＢＢＵ（＃１）３は、通信先のＲＲＨ（＃１）４と伝送ユニット（＃１）１ｂとＯＮＵ（＃１）２を介して通信することができる。
【０１５９】
次に、ＢＢＵ３、伝送ユニット１ｂ、ＯＮＵ２、及びＲＲＨ４の各動作を述べる。
【０１６０】
図１５は、ＢＢＵ３の動作の他の例を示すフローチャートである。図１５において、図１０と共通する処理には同一の符号を付し、その説明は省略する。
【０１６１】
制御部３０は、制御ＩＦ部３２を介して、通信先のＲＲＨ４の位置情報を伝送ユニット１ｂに通知する（ステップＳｔ１ａ）。例えば位置情報は、制御部４０により無線通信ネットワークから取得されて予めメモリ３１に記憶されている。このようにしてＢＢＵ３は動作する。
【０１６２】
図１６は、伝送ユニット１ｂの動作の他の例を示すフローチャートである。図１６において、図１１と共通する処理には同一の符号を付し、その説明は省略する。
【０１６３】
伝送制御部１０は、ＢＢＵ３から制御ＩＦ部１２を介して位置情報を受信したか否かを判定する（ステップＳｔ１１ａ）。ＲＲＨ−ＩＤが未受信である場合（ステップＳｔ１１ａのＮｏ）、再びステップＳｔ１１ａの処理が実行される。また、伝送制御部１０は、ＲＲＨ−ＩＤが受信済みである場合（ステップＳｔ１１ａのＹｅｓ）、制御ＩＦ部１２を介してＢＢＵ３にＡＣＫを送信する（ステップＳｔ１２）。
【０１６４】
次に、ＭＳＧ処理部１９は、伝送制御部１０の指示に従い、波長情報及び位置情報を含む「Channel_Profile」メッセージを生成し、送信器１７０は「Channel_Profile」メッセージを送信する（ステップＳｔ１３ａ）。このようにして伝送ユニット１ｂは動作する。
【０１６５】
図１７は、ＲＲＨ４の動作の他の例を示すフローチャートである。図１７において、図１２と共通する処理には同一の符号を付し、その説明は省略する。
【０１６６】
制御部４０は、制御ＩＦ部４２を介して位置情報をＯＮＵ２に通知する（ステップＳｔ２１ａ）。なお、ＧＰＳ通信部４５はＧＰＳ機能により例えば周期的に位置情報を制御部４０に出力する。このようにしてＲＲＨ４は動作する。
【０１６７】
図１８は、ＯＮＵ２の動作の他の例を示すフローチャートである。図１８において、図１３と共通する処理には同一の符号を付し、その説明は省略する。
【０１６８】
ＯＮＵ制御部２０は、ＲＲＨ４から制御ＩＦ部２２を介して位置情報を受信したか否かを判定する（ステップＳｔ３１ａ）。位置情報が未受信である場合（ステップＳｔ３１ａのＮｏ）、再びステップＳｔ３１ａの処理が実行される。また、ＯＮＵ制御部２０は、位置情報が受信済みである場合（ステップＳｔ３１ａのＹｅｓ）、制御ＩＦ部２２を介してＲＲＨ４にＡＣＫを送信する（ステップＳｔ３２）。その後、ステップＳｔ３４以降の各処理が実行される。
【０１６９】
次に、ＯＮＵ制御部２０は、「Channel_Profile」メッセージ内の位置情報とＲＲＨ４から受信した位置情報を比較する（ステップＳｔ３７ａ）。位置情報同士が一致しない場合（ステップＳｔ３７ａのＮｏ）、ステップＳｔ３３以降の各処理が実行される。
【０１７０】
このように、ＯＮＵ制御部２０は、接続先のＲＲＨ４から位置情報を取得し、「Channel_Profile」メッセージ内の位置情報とＲＲＨ４から取得した位置情報に基づきＲＲＨ４が通信先のＲＲＨであるか否かを判定する。
【０１７１】
また、ＯＮＵ制御部２０は、位置情報同士が一致する場合（ステップＳｔ３７ａのＹｅｓ）、ＭＳＧ処理部２９に「Serial_Number_ONU」メッセージを生成させ、送信器１７０は「Serial_Number_ONU」メッセージを送信する（ステップＳｔ３８）。このとき、ＯＮＵ制御部２０は、例えば各位置情報が示す位置間の距離が閾値以内であれば、位置情報が一致したと判定する。このようにしてＯＮＵ２は動作する。
【０１７２】
このように、本例では通信先情報として通信先のＲＲＨの位置を示す位置情報が用いられるため、例えばスモールセルの配置に応じて位置情報を適切に管理することが可能となる。
【０１７３】
また、本例において、各ＯＮＵ２は接続先のＲＲＨ４から位置情報を受信するが、これに限定されない。例えばＯＮＵ２は、接続先のＲＲＨ４と近い位置に設置される場合、以下のようにＯＮＵ２内のＧＰＳ通信部２００により取得される位置情報を用いてもよい。
【０１７４】
図１９は、伝送ユニット１ｂとＯＮＵ２の間のリンクを確立する処理の他の例を示すシーケンス図である。図１９において、図１４と共通する処理については同一の符号を付し、その説明は省略する。
【０１７５】
ＯＮＵ（＃ｍ）２及びＯＮＵ（＃１）２は、ＧＰＳ通信部２００により位置情報Ｐｍ，Ｐ１をそれぞれ検出する（Ｓ４０ａ，Ｓ４２ａ）。ＧＰＳ通信部２００は、ＧＰＳ機能により例えば周期的に位置情報Ｐｍ，Ｐ１をＯＮＵ制御部２０に出力する。
【０１７６】
ＯＮＵ（＃ｍ）２及びＯＮＵ（＃１）２において、ＯＮＵ制御部２０は、ＧＰＳ通信部２００からの位置情報Ｐｍ，Ｐ１と「Channel_Profile」メッセージ内の位置情報Ｐ１の一致または不一致を判定する（Ｓ４１ａ，Ｓ４３ａ）。判定結果に基づいて、図１４の例と同様の処理が行われる。このようにして伝送ユニット１ｂとＯＮＵ２の間のリンクは確立する。
【０１７７】
次にＯＮＵ２の動作の例を説明する。
【０１７８】
図２０は、ＯＮＵ２の動作の他の例を示すフローチャートである。図２０において、図１８と共通する処理には同一の符号を付し、その説明は省略する。
【０１７９】
ＧＰＳ通信部２００はＧＰＳ機能により位置情報を検出する（ステップＳｔ３００）。位置情報はＯＮＵ制御部２０に出力される。その後、ステップＳｔ３３以降の各処理が実行される。
【０１８０】
波長のスイープの停止後（ステップＳｔ３５）、ＯＮＵ制御部２０は、「Channel_Profile」メッセージ内の位置情報とＧＰＳ通信部２００が検出した位置情報を比較する（ステップＳｔ３７ｂ）。位置情報同士が一致しない場合（ステップＳｔ３７ｂのＮｏ）、ステップＳｔ３３以降の各処理が実行される。
【０１８１】
また、ＯＮＵ制御部２０は、位置情報同士が一致する場合（ステップＳｔ３７ｂのＹｅｓ）、ＭＳＧ処理部２９に「Serial_Number_ONU」メッセージを生成させ、送信器２７２は「Serial_Number_ONU」メッセージを送信する（ステップＳｔ３８）。このようにしてＯＮＵ２は動作する。
【０１８２】
このように、ＯＮＵ制御部２０は、ＧＰＳ通信部２００により検出した位置情報と「Channel_Profile」メッセージ内の位置情報に基づきＲＲＨ４が通信先のＲＲＨであるか否かを判定する。このため、ＯＮＵ２は、ＲＲＨ４から位置情報を取得する手間が省ける。
【０１８３】
（変形例）
上記の各実施例では、ＯＮＵ２が通信先のＲＲＨ４に関する判定を行ったが、伝送ユニット１ｂが判定してもよい。この場合、ＯＮＵ２から伝送ユニット１ｂにＲＲＨ−ＩＤまたは位置情報を含む「Serial_Number_ONU」メッセージが送信される。なお、以下の例では、位置情報を挙げるが、ＲＲＨ−ＩＤでも位置情報の場合と同様の処理が可能である。
【０１８４】
図２１は、伝送ユニット１ｂとＯＮＵ２の間のリンクを確立する処理の他の例を示すシーケンス図である。図２１において、図１４と共通する処理には同一の符号を付し、その説明は省略する。
【０１８５】
ＯＮＵ（＃ｍ）２は、「Channel_Profile」メッセージの受信に応じて、位置情報Ｐｍを含む「Serial_Number_ONU」メッセージを伝送ユニット（＃１）１ｂに送信する。なお、「Channel_Profile」メッセージには、位置情報Ｐ１は含まれていない。
【０１８６】
図２２は、位置情報を含む「Serial_Number_ONU」メッセージの一例を示す図である。図２２において、縦方向及び横方向の各数字はメッセージ中の各フィールドの位置をオクテットで表す。
【０１８７】
点線枠で示されるフィールドには位置情報が挿入される。位置情報は「Position」フィールドに挿入される。なお、他のフィールドの内容はＩＴＵ−Ｔ勧告Ｇ．９８９．３に規定されている。
【０１８８】
再び図２１を参照すると、伝送ユニット（＃１）１ｂは、「Serial_Number_ONU」メッセージ内の位置情報ＰｍとＢＢＵ３から取得した位置情報Ｐ１を比較し、両者が不一致であると判定する（Ｓ５０）。このため、伝送ユニット（＃１）１ｂは「Assign_ONU-ID」メッセージをＯＮＵ（＃ｍ）２に送信しない。
【０１８９】
また、ＯＮＵ（＃１）２は、「Channel_Profile」メッセージの受信に応じて、位置情報Ｐ１を含む「Serial_Number_ONU」メッセージを伝送ユニット（＃１）１ｂに送信する。
【０１９０】
伝送ユニット（＃１）１ｂは、「Serial_Number_ONU」メッセージ内の位置情報Ｐ１とＢＢＵ３から取得した位置情報Ｐ１を比較し、両者が一致すると判定する（Ｓ５１）。このため、伝送ユニット（＃１）１ｂは、ＯＮＵ（＃１）２を登録し（Ｓ５２）、「Assign_ONU-ID」メッセージをＯＮＵ（＃１）２に送信する。
【０１９１】
このため、伝送ユニット（＃１）１ｂとＯＮＵ（＃１）２の間にリンクが確立する。
【０１９２】
次に、伝送ユニット１ｂ及びＯＮＵ２の各動作を述べる。なお、ＢＢＵ３及びＲＲＨ４の動作は、図１５及び図１７にそれぞれ示したとおりである。
【０１９３】
図２３は、伝送ユニット１ｂの動作の他の例を示すフローチャートである。図２３において、図１６と共通する処理には同一の符号を付し、その説明は省略する。
【０１９４】
ＡＣＫの送信後（ステップＳｔ１２）、ＭＳＧ処理部１９は、伝送制御部１０の指示に従い、位置情報を含まず、波長情報を含む「Channel_Profile」メッセージを生成し、送信器１７０は「Channel_Profile」メッセージを送信する（ステップＳｔ１３ｂ）。
【０１９５】
次に、伝送制御部１０は、「Serial_Number_ONU」メッセージを受信したか否かを判定する（ステップＳｔ１４）。「Serial_Number_ONU」メッセージが未受信である場合（ステップＳｔ１４のＮｏ）、ステップＳｔ１３ｂ以降の各処理が実行される。
【０１９６】
伝送制御部１０は、「Serial_Number_ONU」メッセージが受信済みである場合（ステップＳｔ１４のＹｅｓ）、「Serial_Number_ONU」メッセージ内の位置情報とＢＢＵ３から取得した位置情報を比較する（ステップＳｔ１４１）。位置情報同士が一致しない場合（ステップＳｔ１４１のＮｏ）、再びステップＳｔ１３ｂ以降の処理が実行される。また、位置情報同士が一致する場合（ステップＳｔ１４１のＹｅｓ）、ステップＳｔ１５以降の各処理が実行される。このようにして伝送ユニット１ｂは動作する。
【０１９７】
図２４は、ＯＮＵ２の動作の他の例を示すフローチャートである。図２４において、図１８と共通する処理には同一の符号を付し、その説明は省略する。
【０１９８】
ＯＮＵ制御部２０は、波長の設定後（ステップＳｔ３６）、位置情報を含む「Serial_Number_ONU」メッセージをＭＳＧ処理部２９に生成させ、送信器２７２は「Serial_Number_ONU」メッセージを送信する（ステップＳｔ３８ａ）。その後、ステップＳｔ３９以降の各処理が実行される。このようにしてＯＮＵ２は動作する。
【０１９９】
このように、伝送ユニット１ｂにおいて、伝送制御部１０は、「Serial_Number_ONU」メッセージ内の位置情報とＢＢＵ３から取得した位置情報に基づいて、「Serial_Number_ONU」メッセージの送信元のＯＮＵ２に接続されたＲＲＨ４がＢＢＵ３の通信先のＲＲＨであるか否かを判定する。伝送制御部１０は、送信元のＯＮＵ２に接続されたＲＲＨ４がＢＢＵ３の通信先のＲＲＨである場合、ＭＳＧ処理部１９に「Assign_ONU-ID」メッセージを生成させ、送信元のＯＮＵ２に接続されたＲＲＨ４がＢＢＵ３の通信先のＲＲＨである場合、「Assign_ONU-ID」メッセージを生成させない。
【０２００】
このため、伝送ユニット１ｂは、送信元のＯＮＵ２に接続されたＲＲＨ４がＢＢＵ３の通信先のＲＲＨである場合にＯＮＵ２とリンクを確立する。したがって、ＢＢＵ３は伝送ユニット１ｂ及びＯＮＵ２を介して通信先のＲＲＨ４と通信することができる。
【０２０１】
本例において、ＯＮＵ制御部２０はＲＲＨ４から位置情報を取得するが、図１９の例と同様に、ＲＲＨ４の位置情報に代えてＯＮＵ２の位置情報を用いてもよい。
【０２０２】
図２５は、伝送ユニット１ｂとＯＮＵ２の間のリンクを確立する処理の他の例を示すシーケンス図である。図２５において、図１９と共通する処理には同一の符号を付し、その説明は省略する。
【０２０３】
ＯＮＵ（＃ｍ，＃１）２において、ＯＮＵ制御部２０は、ＧＰＳ通信部２００から位置情報Ｐｍ，Ｐ１を取得して（Ｓ４０ａ，Ｓ４２ａ）、位置情報Ｐｍ，Ｐ１を含む「Serial_Number_ONU」メッセージをＭＳＧ処理部２９に生成させる。伝送ユニット（＃１）１ｂは、ＯＮＵ（＃ｍ）２から受信した「Serial_Number_ONU」メッセージ内の位置情報ＰｍとＢＢＵ（＃１）３から取得した位置情報Ｐ１を比較し、両者が不一致であると判定する（Ｓ５０ａ）。
【０２０４】
このため、伝送ユニット（＃１）１ｂはＯＮＵ（＃ｍ）２に「Assign_ONU-ID」メッセージを送信しない。したがって、伝送ユニット（＃１）１ｂとＯＮＵ（＃ｍ）２の間にリンクは確立されない。
【０２０５】
また、伝送ユニット（＃１）１ｂは、ＯＮＵ（＃１）２から受信した「Serial_Number_ONU」メッセージ内の位置情報Ｐ１とＢＢＵ（＃１）３から取得した位置情報Ｐ１を比較し、両者が一致すると判定する（Ｓ５１ａ）。
【０２０６】
このため、伝送ユニット（＃１）１ｂはＯＮＵ（＃１）２に「Assign_ONU-ID」メッセージを送信する。したがって、伝送ユニット（＃１）１ｂとＯＮＵ（＃１）２の間にリンクが確立される。
【０２０７】
図２６は、ＯＮＵ２の動作の他の例を示すフローチャートである。図２６において、図２０と共通する処理には同一の符号を付し、その説明は省略する。
【０２０８】
ＯＮＵ制御部２０は、波長の設定後（ステップＳｔ３６）、ステップＳｔ３００で検出された位置情報を含む「Serial_Number_ONU」メッセージをＭＳＧ処理部２９に生成させ、送信器２７２は「Serial_Number_ONU」メッセージを送信する（ステップＳｔ３８ｂ）。その後、ステップＳｔ３９以降の各処理が実行される。このようにしてＯＮＵ２は動作する。
【０２０９】
このように、ＯＮＵ制御部２０は、ＧＰＳ通信部２００により位置情報を検出する。このため、ＯＮＵ２は、ＲＲＨ４から位置情報を取得する手間が省ける。
【０２１０】
上述した実施形態は本発明の好適な実施の例である。但し、これに限定されるものではなく、本発明の要旨を逸脱しない範囲内において種々変形して実施可能である。
【０２１１】
なお、以上の説明に関して更に以下の付記を開示する。
（付記１）  複数のＲＲＨにそれぞれ接続された複数の光終端装置とともにＰＯＮに接続される伝送装置において、
前記複数のＲＲＨの１つを通信先とするＢＢＵから前記通信先のＲＲＨに関する通信先情報を取得する取得部と、
前記複数の光終端装置から所定の波長の信号を受信する受信部と、
前記所定の波長を示す波長情報と、前記通信先情報とを含む第１信号を前記複数の光終端装置に送信する送信部と、
前記受信部が、前記複数の光終端装置のうち、前記通信先のＲＲＨに接続された光終端装置から、前記第１信号に応じた前記所定の波長の第２信号を受信したとき、前記ＢＢＵ及び前記通信先のＲＲＨの間の通信を中継する中継経路を前記光終端装置との間に設定する設定部とを有することを特徴とする伝送装置。
（付記２）  前記通信先情報は、前記複数の光終端装置のうち、前記通信先のＲＲＨを識別する識別情報であることを特徴とする付記１に記載の伝送装置。
（付記３）  前記通信先情報は、前記複数の光終端装置のうち、前記通信先のＲＲＨの位置を示す位置情報であることを特徴とする付記１に記載の伝送装置。
（付記４）  ＢＢＵに接続された光端局装置とともにＰＯＮに接続され、さらにＲＲＨに接続される光終端装置において、
前記光端局装置から、前記光端局装置が受信する信号の所定の波長を示す波長情報と、前記ＢＢＵの通信先のＲＲＨに関する通信先情報とを含む第１信号を受信する信号受信部と、
前記光端局装置に信号を送信する信号送信部と、
前記通信先情報に基づき前記ＲＲＨが前記通信先のＲＲＨであるか否かを判定して、前記ＲＲＨが前記通信先のＲＲＨである場合、前記波長情報が示す前記所定の波長の第２信号を前記信号送信部に送信させる制御部とを有し、
前記制御部は、前記信号受信部が前記光端局装置から前記第２信号に応じた第３信号を受信したとき、前記ＢＢＵ及び前記ＲＲＨの間の通信を中継する中継経路を前記光端局装置との間に設定することを特徴とする光終端装置。
（付記５）  前記制御部は、前記ＲＲＨから、前記ＲＲＨを識別する識別情報を取得し、前記識別情報と前記通信先情報に基づき前記ＲＲＨが前記通信先のＲＲＨであるか否かを判定することを特徴とする付記４に記載の光終端装置。
（付記６）  前記制御部は、前記ＲＲＨから、前記ＲＲＨの位置を示す位置情報を取得し、前記位置情報と前記通信先情報に基づき前記ＲＲＨが前記通信先のＲＲＨであるか否かを判定することを特徴とする付記４に記載の光終端装置。
（付記７）  前記光終端装置の位置を検出する検出部を有し、
前記制御部は、前記光終端装置の位置と前記通信先情報に基づき前記ＲＲＨが前記通信先のＲＲＨであるか否かを判定することを特徴とする付記４に記載の光終端装置。
（付記８）  ＰＯＮに接続される光端局装置及び複数の光終端装置を有し、
前記複数の光終端装置は複数のＲＲＨにそれぞれ接続され、
前記光端局装置は、
前記複数のＲＲＨの１つを通信先とするＢＢＵから前記通信先のＲＲＨに関する通信先情報を取得する取得部と、
前記複数の光終端装置から所定の波長の信号を受信する受信部と、
前記所定の波長を示す波長情報と、前記通信先情報とを含む第１信号を前記複数の光終端装置に送信する送信部と、
前記受信部が、前記複数の光終端装置のうち、前記通信先のＲＲＨに接続された光終端装置から、前記第１信号に応じた前記所定の波長の第２信号を受信したとき、前記ＢＢＵ及び前記通信先のＲＲＨの間の通信を中継する中継経路を前記光終端装置との間に設定する設定部とを有し、
前記複数の光終端装置の各々は、前記通信先情報に基づき、前記複数のＲＲＨのうち、接続先のＲＲＨが前記通信先のＲＲＨであるか否かを判定し、前記接続先のＲＲＨが前記通信先のＲＲＨである場合、前記波長情報が示す前記所定の波長の前記第２信号を前記光端局装置に送信することを特徴とする伝送システム。
（付記９）  前記通信先情報は、前記複数の光終端装置のうち、前記通信先のＲＲＨを識別する識別情報であることを特徴とする付記８に記載の伝送システム。
（付記１０）  前記通信先情報は、前記複数の光終端装置のうち、前記通信先のＲＲＨの位置を示す位置情報であることを特徴とする付記８に記載の伝送システム。
（付記１１）  ＰＯＮに接続される光端局装置及び複数の光終端装置の間で行われる伝送方法において、
前記複数の光終端装置は複数のＲＲＨにそれぞれ接続され、
前記光端局装置は、
前記複数のＲＲＨの１つを通信先とするＢＢＵから前記通信先のＲＲＨに関する通信先情報を取得し、
前記複数の光終端装置から受信する信号の波長を示す波長情報と、前記通信先情報とを含む第１信号を前記複数の光終端装置に送信し、
前記複数の光終端装置の各々は、
前記通信先情報に基づき、前記複数のＲＲＨのうち、接続先のＲＲＨが前記通信先のＲＲＨであるか否かを判定し、
前記接続先のＲＲＨが前記通信先のＲＲＨである場合、前記波長情報が示す波長の第２信号を前記光端局装置に送信し、
前記光端局装置は、
前記複数の光終端装置のうち、前記通信先のＲＲＨに接続された光終端装置から、前記第１信号に応じた前記第２信号を受信したとき、前記ＢＢＵ及び前記通信先のＲＲＨの間の通信を中継する中継経路を前記光終端装置との間に設定することを特徴とする伝送方法。
（付記１２）  前記通信先情報は、前記複数の光終端装置のうち、前記通信先のＲＲＨを識別する識別情報であることを特徴とする付記１１に記載の伝送方法。
（付記１３）  前記通信先情報は、前記複数の光終端装置のうち、前記通信先のＲＲＨの位置を示す位置情報であることを特徴とする付記１１に記載の伝送方法。
【符号の説明】
【０２１２】
１       ＯＬＴ
１ｂ       伝送ユニット
２       ＯＮＵ
３       ＢＢＵ
４       ＲＲＨ
１０       伝送制御部
２０       ＯＮＵ制御部
１２，２２，３２，４２    制御ＩＦ部
１７０，２７２     送信器
１７１，２７１     受信器
４５，２００      ＧＰＳ通信部
【図１】
2020028033.tif 000003
【図２】
2020028033.tif 000004
【図３】
2020028033.tif 000005
【図４】
2020028033.tif 000006
【図５】
2020028033.tif 000007
【図６】
2020028033.tif 000008
【図７】
2020028033.tif 000009
【図８】
2020028033.tif 000010
【図９】
2020028033.tif 000011
【図１０】
2020028033.tif 000012
【図１１】
2020028033.tif 000013
【図１２】
2020028033.tif 000014
【図１３】
2020028033.tif 000015
【図１４】
2020028033.tif 000016
【図１５】
2020028033.tif 000017
【図１６】
2020028033.tif 000018
【図１７】
2020028033.tif 000019
【図１８】
2020028033.tif 000020
【図１９】
2020028033.tif 000021
【図２０】
2020028033.tif 000022
【図２１】
2020028033.tif 000023
【図２２】
2020028033.tif 000024
【図２３】
2020028033.tif 000025
【図２４】
2020028033.tif 000026
【図２５】
2020028033.tif 000027
【図２６】
2020028033.tif 000028